(57)【要約】      （修正有）【課題】ＨｅｔｅｒｏｇｅｎｅｏｕｓＮｅｔｗｏｒｋのスループット改善に関する手法を提供する。【解決手段】基地局装置から送信される受信信号が中継局装置から送信される受信信号の干渉信号とならない程度に、基地局装置から送信される受信電力が中継局装置から送信される受信電力より低い場合と、中継局装置から送信される受信信号が基地局装置から送信される送信信号の受信信号の干渉信号とならない程度に、中継局装置から送信される受信電力が基地局装置から送信される受信電力より低い場合を最適とする第１種移動局装置と、基地局装置から送信される受信電力と中継局装置から送信される受信電力とが高い場合を最適とする第２種移動局装置と、基地局装置と、基地局装置と前記移動局装置との間の伝播路上にあって、基地局装置から送信される送信信号を中継する中継局装置と、が混在するＨｅｔｅｒｏｇｅｎｅｏｕｓＮｅｔｗｏｒｋ。【選択図】図７
2011193418.tif 000002
【特許請求の範囲】
【請求項１】
基地局装置から送信される送信信号の受信信号が中継局装置から送信される送信信号の受信信号の干渉信号とならない程度に、基地局装置から送信される送信信号の受信電力が中継局装置から送信される送信信号の受信電力より低い場合と、中継局装置から送信される送信信号の受信信号が基地局装置から送信される送信信号の受信信号の干渉信号とならない程度に、中継局装置から送信される送信信号の受信電力が基地局装置から送信される送信信号の受信電力より低い場合を最適とする第１種移動局装置と、
基地局装置から送信される送信信号の受信電力と中継局装置から送信される送信信号の受信電力とが高い場合を最適とする第２種移動局装置と、
が含まれる移動局装置と、
基地局装置と、
前記基地局装置と前記移動局装置との間の伝播路上にあって、前記基地局装置から送信される送信信号を中継する中継局装置と、
が混在することを特徴とするＨｅｔｅｒｏｇｅｎｅｏｕｓ  Ｎｅｔｗｏｒｋ。
【請求項２】
前記基地局装置又は前記中継局装置から送信される送信信号は、
前記基地局装置から送信されるリソースブロックであって、前記中継局装置で中継され、中継後の前記リソースブロックの電力が中継前の前記リソースブロックの電力より低いリソースブロック又は、前記基地局装置から送信されるリソースブロックであって、前記中継局装置で中継されない前記リソースブロックを第１種リソースブロックとし、
前記基地局装置から送信されるリソースブロックであって、前記中継局装置で中継され、中継後の前記リソースブロックの電力が中継前の前記リソースブロックの電力より高い前記リソースブロックを第２種リソースブロックとし、
前記第１種リソースブロックと前記第２種リソースブロックとが配置される第１種無線フレームであること
を特徴とする請求項１記載のＨｅｔｅｒｏｇｅｎｅｏｕｓ  Ｎｅｔｗｏｒｋ。
【請求項３】
第１種無線フレームに対する前記第１種リソースブロックと前記第２種リソースブロックとの配置パターンには、
前記第１種リソースブロックのみが配置される周波数帯域を第１種リソースブロック帯域とし、前記第１種リソースブロック帯域であって、周波数帯域幅が１つの前記第１種リソースブロック分である周波数帯域を第１種周波数帯域とし、
前記第２種リソースブロックのみが配置される周波数帯域を第２種リソースブロック帯域とし、前記第２種リソースブロック帯域であって、周波数帯域幅が１つの前記第２種リソースブロック分である周波数帯域を第２種周波数帯域とし、
前記第１種周波数帯域と前記第２種周波数帯域とが周波数軸方向に交互に配置される第１種配置パターンと、
前記第１種周波数帯域が一周波数帯域に集中して配置され、前記第２種周波数帯域が別の一周波数帯域に集中して配置される第２種配置パターンと、
の２種類の配置パターンがあること
を特徴とする請求項１又は２記載のＨｅｔｅｒｏｇｅｎｅｏｕｓ  Ｎｅｔｗｏｒｋ。
【請求項４】
前記基地局装置は、前記第１種無線フレームを送信し、
前記中継局装置は、前記第１種無線フレームを中継し、
前記移動局装置は、前記基地局装置から送信された前記第１種無線フレームと前記中継局装置で中継された前記第１種中継フレームとが伝播路上で合成された第１種合成フレームと、を受信すること
を特徴とする請求項１から３までのいずれか１項に記載のＨｅｔｅｒｏｇｅｎｅｏｕｓ  Ｎｅｔｗｏｒｋ。
【請求項５】
前記中継局装置は、
前記第１種リソースブロックに配置される全ての情報信号の電力を一様に低くするか０とし、
前記第２種リソースブロックに配置される全ての情報信号の電力を一様に高くすることし、
前記第１種無線フレームを所定時間遅延すること
を特徴とする請求項１から４までのいずれか１項に記載のＨｅｔｅｒｏｇｅｎｅｏｕｓ  Ｎｅｔｗｏｒｋ。
【請求項６】
前記中継局装置は、
前記第１種リソースブロックの電力を一様に低くし、
前記第２種リソースブロックの電力を一様に高くし、
前記第１種無線フレームを所定時間遅延すること
を特徴とする請求項１から４までのいずれか１項に記載のＨｅｔｅｒｏｇｅｎｅｏｕｓ  Ｎｅｔｗｏｒｋ。
【請求項７】
前記第１種移動局装置は、
前記第１種合成フレームとは無関係に、前記中継局装置から送信される送信信号の送信電力を確定する一要因となる第１種要求信号を、前記中継局装置から送信される送信信号の送信電力を高くすることを示すものであるとして報知すること
を特徴とする請求項１から６までのいずれか１項に記載のＨｅｔｅｒｏｇｅｎｅｏｕｓ  Ｎｅｔｗｏｒｋ。
【請求項８】
前記第２種移動局装置は、
前記第１種合成フレームとは無関係に、前記中継局装置から送信される送信信号の送信電力を確定する一要因となる第２種要求信号を、前記中継局装置から送信される送信信号の送信電力を低くすることを示すものであるとして報知すること、
を特徴とする請求項１から７までのいずれか１項に記載のＨｅｔｅｒｏｇｅｎｅｏｕｓ  Ｎｅｔｗｏｒｋ。
【請求項９】
前記第２種移動局装置は、
前記第１種合成フレームから前記基地局装置から送信される前記第１種無線フレームと前記中継局装置から送信される前記第１種無線フレームとを分離し、
前記第２種要求信号を、
前記基地局装置から送信される前記第１種無線フレームの受信電力が前記中継局装置から送信される前記第１種無線フレームの受信電力より高い場合、前記中継局装置から送信される送信信号の送信電力を低くすることを示すものであるとし、
前記基地局装置から送信される前記第１種無線フレームの受信電力が前記中継局装置から送信される前記第１種無線フレームの受信電力より低い場合、前記中継局装置から送信される送信信号の送信電力を高くすることを示すものであるとし、
報知すること
を特徴とする請求項１から７までのいずれか１項に記載のＨｅｔｅｒｏｇｅｎｅｏｕｓ  Ｎｅｔｗｏｒｋ。
【請求項１０】
前記基地局装置又は前記中継局装置から送信される送信信号は、
前記基地局装置から送信されるリソースブロックであって、前記中継局装置で中継され、中継後の前記リソースブロックの電力が中継前の前記リソースブロックの電力より低いリソースブロック又は、前記基地局装置から送信されるリソースブロックであって、前記中継局装置で中継されない前記リソースブロックを第１種リソースブロックとし、
前記基地局装置から送信されるリソースブロックであって、前記中継局装置で中継され、中継後の前記リソースブロックの電力が中継前の前記リソースブロックの電力より高い前記リソースブロックを第２種リソースブロックとし、
前記第１種リソースブロックが配置され、前記第２種リソースブロックが配置されない第２種無線フレームと、
前記第２種リソースブロックが配置され、前記第１種リソースブロックが配置されない第３種無線フレームと、
の２種類の無線フレームがあること
を特徴とする請求項１記載のＨｅｔｅｒｏｇｅｎｅｏｕｓ  Ｎｅｔｗｏｒｋ。
【請求項１１】
前記基地局装置は、前記第２種無線フレームと前記第３種無線フレームとを送信し、
前記中継局装置は、前記第２種無線フレームと前記第３種無線フレームとを中継するか前記第３種無線フレームのみを中継し、
前記移動局装置は、前記基地局装置から送信された前記第２種無線フレームと前記中継局装置で中継された前記第２種中継フレームとが伝播路上で合成された第２種合成フレームと、前記基地局装置から送信された前記第３種無線フレームと前記中継局装置で中継された前記第３種中継フレームとが伝播路上で合成された第３種合成フレームと、の内のいずれか又は複数を受信すること
を特徴とする請求項１又は１０記載のＨｅｔｅｒｏｇｅｎｅｏｕｓ  Ｎｅｔｗｏｒｋ。
【請求項１２】
前記中継局装置は、
前記第２種無線フレームを中継する場合、前記第１種リソースブロックの電力を一様に低くするか０とし、
前記第２種リソースブロックの電力を一様に高くし、
前記第２種無線フレームを中継する場合、前記第２種無線フレームを所定時間遅延し、
前記第３種無線フレームを所定時間遅延すること
を特徴とする請求項１又は１０又は１１記載のＨｅｔｅｒｏｇｅｎｅｏｕｓ  Ｎｅｔｗｏｒｋ。
【請求項１３】
前記第１種移動局装置は、
前記第２種無線フレームと前記第３種無線フレームとは無関係に、前記中継局装置から送信される送信信号の送信電力を確定する一要因となる第１種要求信号を、前記中継局装置から送信される送信信号の送信電力を高くすることを示すものであるとして報知すること
を特徴とする請求項１又は請求項１０から１２までのいずれか１項に記載のＨｅｔｅｒｏｇｅｎｅｏｕｓ  Ｎｅｔｗｏｒｋ。
【請求項１４】
前記第２種移動局装置は、
前記第２種無線フレームと前記第３種無線フレームとは無関係に、前記中継局装置から送信される送信信号の送信電力を確定する一要因となる第２種要求信号を、前記中継局装置から送信される送信信号の送信電力を低くすることを示すものであるとして報知すること
を特徴とする請求項１又は請求項１０から１３までのいずれか１項に記載のＨｅｔｅｒｏｇｅｎｅｏｕｓ  Ｎｅｔｗｏｒｋ。
【請求項１５】
前記第２種移動局装置は、
前記第２種要求信号を、
前記第２種合成フレームの受信電力が所定の閾値より高い場合、前記中継局装置から送信される送信信号の送信電力を低くすることを示すものであるとし、
前記第３種合成フレームの受信電力が所定の閾値より低い場合、前記中継局装置から送信される送信信号の送信電力を高くすることを示すものであるとし、
報知すること
を特徴とする請求項１又は請求項１０から１３までのいずれか１項に記載のＨｅｔｅｒｏｇｅｎｅｏｕｓ  Ｎｅｔｗｏｒｋ。
【請求項１６】
前記第２種移動局装置は、
前記第３種合成フレームから前記基地局装置から送信される前記第３種無線フレームと前記中継局装置から送信される前記第３種無線フレームとを分離し、
前記第２種要求信号を、
前記基地局装置から送信される前記第３種無線フレームの受信電力が前記中継局装置から送信される前記第３種無線フレームの受信電力より高い場合、前記中継局装置から送信される送信信号の送信電力を低くすることを示すものであるとし、
前記基地局装置から送信される前記第３種無線フレームの受信電力が前記中継局装置から送信される前記第３種無線フレームの受信電力より低い場合、前記中継局装置から送信される送信信号の送信電力を高くすることを示すものであるとし、
報知すること
を特徴とする請求項１又は請求項１０から１３までのいずれか１項に記載のＨｅｔｅｒｏｇｅｎｅｏｕｓ  Ｎｅｔｗｏｒｋ。
【請求項１７】
前記基地局装置は、
前記移動局装置から報知される第１種要求信号を受信し、
前記第１種要求信号が前記中継局装置から送信される送信信号の送信電力を高くすることを示すものである場合、前記基地局装置と前記第１種移動局装置との通信の用に第１種リソースブロックを供し、
前記第１種要求信号が前記中継局装置から送信される送信信号の送信電力を低くすることを示すものである場合、前記基地局装置と前記第１種移動局装置との通信の用に第２種リソースブロックを供し、
前記移動局装置から報知される第２種要求信号を受信し、
前記第２種要求信号が前記中継局装置から送信される送信信号の送信電力を高くすることを示すものである場合、前記基地局装置と前記第２種移動局装置との通信の用に第１種リソースブロックを供し、
前記第２種要求信号が前記中継局装置から送信される送信信号の送信電力を低くすることを示すものである場合、前記基地局装置と前記第２種移動局装置との通信の用に第２種リソースブロックを供すること
を特徴とする請求項１から１６までのいずれか１項に記載のＨｅｔｅｒｏｇｅｎｅｏｕｓ  Ｎｅｔｗｏｒｋ。
【請求項１８】
基地局装置から送信される送信信号の直接波と直接波より遅延した遅延波とを受信した場合に復調精度が劣化しない第１種移動局装置と、
基地局装置から送信される送信信号の直接波と直接波より遅延した遅延波とを受信した場合に復調精度が劣化する第２種移動局装置と、
が含まれる移動局装置と、
基地局装置と、
が混在することを特徴とするＨｅｔｅｒｏｇｅｎｅｏｕｓ  Ｎｅｔｗｏｒｋ。
【請求項１９】
前記基地局装置から送信される送信信号は、
前記第１種移動局装置と前記第２種移動局装置との通信の用に供されるリソースブロックが配置される、無線フレームとすること
を特徴とする請求項１又は１８記載のＨｅｔｅｒｏｇｅｎｅｏｕｓ  Ｎｅｔｗｏｒｋ。
【請求項２０】
前記基地局装置は、前記無線フレームを送信し、
前記移動局装置は、前記基地局装置から送信された前記フレームの直接波と遅延した遅延波とが伝播路上で合成された合成フレームを受信すること
を特徴とする請求項１又は１８又は１９記載のＨｅｔｅｒｏｇｅｎｅｏｕｓ  Ｎｅｔｗｏｒｋ。
【請求項２１】
請求項１記載のＨｅｔｅｒｏｇｅｎｅｏｕｓ  Ｎｅｔｗｏｒｋにおける基地局装置。
【請求項２２】
請求項１記載のＨｅｔｅｒｏｇｅｎｅｏｕｓ  Ｎｅｔｗｏｒｋにおける移動局装置。
【請求項２３】
請求項１記載のＨｅｔｅｒｏｇｅｎｅｏｕｓ  Ｎｅｔｗｏｒｋにおける中継局装置。
【請求項２４】
請求項１記載のＨｅｔｅｒｏｇｅｎｅｏｕｓ  Ｎｅｔｗｏｒｋを用いた通信方法であって、
前記基地局装置又は、前記中継局装置から送信信号を送信するステップを有し、
前記基地局装置から送信されるリソースブロックであって、前記中継局装置で中継され、中継後の前記リソースブロックの電力が中継前の前記リソースブロックの電力より低いリソースブロック、又は、前記基地局装置から送信されるリソースブロックであって、前記中継局装置で中継されない前記リソースブロックを第１種リソースブロックとし、
前記基地局装置から送信されるリソースブロックであって、前記中継局装置で中継され、中継後の前記リソースブロックの電力が中継前の前記リソースブロックの電力より高い前記リソースブロックを第２種リソースブロックとし、
前記第１種リソースブロックと前記第２種リソースブロックとを第１種無線フレームに配置するステップと
を有することを特徴とする通信方法。
【発明の詳細な説明】
【技術分野】
【０００１】
本発明は、Ｈｅｔｅｒｏｇｅｎｅｏｕｓ  Ｎｅｔｗｏｒｋの構成と基地局装置と中継局装置と移動局装置とに関する。
【背景技術】
【０００２】
現状、ＬＴＥ（Ｌｏｎｇ  Ｔｅｒｍ  Ｅｖｏｌｕｔｉｏｎ）では、基地局装置と中継局装置と移動局装置とが混在するＨｅｔｅｒｏｇｅｎｅｏｕｓ  Ｎｅｔｗｏｒｋに関する議論がなされている。
【０００３】
Ｈｅｔｅｒｏｇｅｎｅｏｕｓ  Ｎｅｔｗｏｒｋでは、基地局装置のセル内における受信電力が低い場所に中継局装置を配置し、移動局装置の受信電力を高めたり、基地局装置のみではトラフィックを処理しきれない場合に中継局装置を配置し、トラフィックを適切に分配させたりすることによって、スループットが改善される。
【０００４】
下記非特許文献１では、基地局装置と中継局装置と移動局装置とが混在するＨｅｔｅｒｏｇｅｎｅｏｕｓ  Ｎｅｔｗｏｒｋを想定したスループットの改善に関する提案がなされている。
【０００５】
非特許文献１では、Ｈｅｔｅｒｏｇｅｎｅｏｕｓ  Ｎｅｔｗｏｒｋには、基地局装置と中継局装置と移動局装置とが混在し、移動局装置は、基地局装置と中継局装置とのいずれかと通信することを想定している。
【０００６】
移動局装置ははじめに、基地局装置と中継局装置とのいずれと通信するかを決定する。この手法としては、移動局装置が、基地局装置から送信される送信信号の受信電力と中継局装置から送信される送信信号の受信電力とをそれぞれ測定し、基地局装置から送信される送信信号の受信電力が中継局装置から送信される送信信号の受信電力より高い場合、基地局装置を選択し、基地局装置から送信される送信信号の受信電力が中継局装置から送信される送信信号の送信電力より低い場合、中継局装置を選択するものが挙げられている。
【０００７】
一般に、基地局装置から十分離れた位置に移動局装置と中継局装置とが存在する場合、移動局装置は基地局装置と中継局装置とのいずれかと通信するが、基地局装置と通信した場合、基地局装置と移動局装置との間の伝播路の状態は悪いため、この影響によってスループットが低下する。
【０００８】
従って、移動局装置が中継局装置と通信するように図り、スループットを改善することが検討されている。
【０００９】
一方、基地局装置付近に移動局装置と中継局装置とが存在する場合、移動局装置は基地局装置と中継局装置とのいずれかと通信するが、いずれに接続したとしてもスループットには差異がない。
【００１０】
しかしながら、基地局装置におけるトラフィック量が増加するにしたがって、スループットが低下することも知られているため、基地局装置におけるトラフィック量が中継局装置におけるトラフィック量より多い場合、移動局装置が中継局装置と通信するように図り、基地局装置におけるトラフィック量が中継局装置におけるトラフィック量より少ない場合、移動局装置が基地局装置と通信するように図ることによって、スループットを改善することも検討されている。
【００１１】
非特許文献１では、基地局装置におけるトラフィック量が中継局装置におけるトラフィック量より多い場合、基地局装置から送信される送信信号の送信電力を低くすることと、中継局装置から送信される送信信号の送信電力を高くすることとのいずれか又は両方によって移動局装置が中継局装置と通信するように図り、基地局装置におけるトラフィック量が中継局装置におけるトラフィック量より少ない場合、基地局装置から送信される送信信号の送信電力を高くすることと、中継局装置から送信される送信信号の送信電力を低くすることとのいずれか又は両方によって移動局装置が基地局装置と通信するように図る提案がなされている。
【００１２】
非特許文献１では、基地局装置から送信される送信信号の送信電力と比較して、中継局装置から送信される送信信号の送信電力を高くするにしたがって、スループットが改善されることが示されている。
【００１３】
下記非特許文献２では、基地局装置から送信される送信信号と中継局装置から送信される送信信号とが伝播路上で合成された合成信号を受信し、基地局装置から送信される送信信号と中継局装置から送信される送信信号とを分離し、基地局装置から送信される送信信号と中継局装置から送信される送信信号の両方を用いて復調をおこなうことによって、復調精度を高くすることが可能な移動局装置の一例について提案されている。
【００１４】
図１は、基地局装置（１００ａ）の一構成例を示す図であり、図２は、移動局装置（２００ａ）の一構成例を示す図である。
【００１５】
はじめに、基地局装置（１００ａ）について説明する。
図１に示すように、基地局装置（１００ａ）は、符号化部（１１０ａ）とインターリーブ部（１２０ａ）と変調部（１３０ａ）とアンテナ（１４０ａ）とを備えている。また、基地局装置（１００ａ）に対しては外部から第１のデータ信号（１００ａ−１）が入力されているものとしている。
【００１６】
基地局装置に入力された第１のデータ信号（１００ａ−１）は、はじめに、符号化部（１１０ａ）に入力される。符号化部（１１０ａ）では、第１のデータ信号（１００ａ−１）に対して、畳み込み符号もしくはターボ符号などが適用され、第２のデータ信号（１１０ａ−１）が生成される。
【００１７】
インターリーブ部（１２０ａ）では、第２のデータ信号（１１０ａ−１）に対してインターリーブが適用され、第３のデータ信号（１２０ａ−１）が生成される。
【００１８】
変調部（１３０ａ）では、はじめに、第３のデータ信号（１２０ａ−１）に対して、ＢＰＳＫ（Ｂｉｎａｒｙ  Ｐｈａｓｅ  Ｓｈｉｆｔ  Ｋｅｙｉｎｇ）とＱＰＳＫ（Ｑｕａｄｒａｔｕｒｅ  Ｐｈａｓｅ  Ｓｈｉｆｔ  Ｋｅｙｉｎｇ）と１６ＱＡＭ（Ｑｕａｄｒａｔｕｒｅ  Ａｍｐｌｉｔｕｄｅ  Ｍｏｄｕｌａｔｉｏｎ）と６４ＱＡＭとのうちのいずれかの変調方式が適用され、変調シンボルが生成される。
【００１９】
次に、変調シンボルと参照信号とに基づいて、ＯＦＤＭシンボルが生成される。ここでは、このＯＦＤＭシンボルが無線周波数帯域に周波数変換されたものを第４のデータ信号（１３０ａ−１）とする。
【００２０】
次に、第４のデータ信号（１３０ａ−１）が、アンテナ（１４０ａ）を介して移動局装置（２００ａ）に対して送信される。
【００２１】
次に、移動局装置（２００ａ）について説明する。
図２に示すように、移動局装置（２００ａ）は、アンテナ（２０５ａ）と周波数変換部（２１０ａ）とディジタル信号処理装置（２６０ａ）とを備えている。また、ディジタル信号処理装置（２６０ａ）では、アンテナ（２０５ａ）側から、第１の加算部（２１５ａ）と信号検出部（２２０ａ）とＭＡＰ（Ｍａｘｉｍｕｍ  ａ  ｐｏｓｔｅｒｉｏｒｉ  ｐｒｏｂａｂｉｌｉｔｙ）検出部（２２５ａ）とデインターリーブ部（２３０ａ）と復号部（２３５ａ）と第２の加算部（２４０ａ）とインターリーブ部（２４５ａ）と干渉レプリカ生成部（２５０ａ）とを備え、さらに、チャネル推定部（２５５ａ）を備えている。また、移動局装置（２００ａ）に対しては第１のデータ信号（２０５ａ−１）がアンテナ（２０５ａ）を介して入力されている。
【００２２】
周波数変換部（２１０ａ）では、第１のデータ信号（２０５ａ−１）に対して無線周波数帯域からベースバンド周波数帯域への周波数変換が適用され、第２のデータ信号（２１０ａ−１）が生成される。
【００２３】
第１の加算部（２１５ａ）では、第２のデータ信号（２１０ａ−１）から後述する第１０のデータ信号（２５０ａ−１）を減じて、第２のデータ信号（２１０ａ−１）からシンボル間干渉などの干渉成分を除去した第３のデータ信号（２１５ａ−１）が生成される。
【００２４】
信号検出部（２２０ａ）では、チャネル推定部（２５５ａ）において推定されたチャネル特性である第１１のデータ信号（２５５ａ−１）に基づいて、第３のデータ信号（２１５ａ−１）に対して等化処理が適用され、第４のデータ信号（２２０ａ−１）が生成される。
【００２５】
信号検出部（２２０ａ）は、フーリエ変換部とＭＭＳＥ（Ｍｉｎｉｍｕｍ  Ｍｅａｎ  Ｓｑｕａｒｅ  Ｅｒｒｏｒ）部とを備えている。また、信号検出部（２２０ａ）に入力された第３のデータ信号（２１５ａ−１）は、はじめに、フーリエ変換部に入力され、信号検出部（２２０ａ）に入力された第１１のデータ信号（２５５ａ−１）はＭＭＳＥ部に入力される。
【００２６】
フーリエ変換部では、はじめに、第３のデータ信号（２１５ａ−１）に対してＯＦＤＭシンボル毎にフーリエ変換が適用され、変調シンボルおよび参照信号が取得される。次に、この取得された変調シンボルがＭＭＳＥ部に出力される。
【００２７】
ＭＭＳＥ部では、第１１のデータ信号（２５５ａ−１）に基づいて、変調シンボルのひずみが抑圧され、第４のデータ信号（２２０ａ−１）が生成される。
【００２８】
ＭＡＰ（Ｍａｉｍｕｍ  ａ  ｐｏｓｔｅｒｉｏｒｉ  ｐｒｏｂａｂｉｌｉｔｙ）検出部（２２５ａ）では、第４のデータ信号（２２０ａ−１）と、基地局装置（１００ａ）が備える変調部（１３０ａ）で適用された変調方式と、に基づいて、対数尤度比表現された第５のデータ信号（２２５ａ−１）が生成される。
【００２９】
デインターリーブ部（２３０ａ）では、第５のデータ信号（２２５ａ−１）に対して、基地局装置（１００ａ）が備えるインターリーブ部（１２０ａ）で適用されたインターリーブに応じた、デインターリーブが適用され、第６のデータ信号（２３０ａ−１）が生成される。
【００３０】
復号部（２３５ａ）では、第６のデータ信号（２３０ａ−１）に対して、基地局装置（１００ａ）が備える符号化部（１１０ａ）で適用された畳み込み符号もしくはターボ符号などに応じた、畳み込み復号もしくはターボ復号などが適用され、第７のデータ信号（２３５ａ−１）が生成される。
【００３１】
第２の加算部（２４０ａ）では、第７のデータ信号（２３５ａ−１）から第６のデータ信号（２３０ａ−１）を減じ、事前情報である第８のデータ信号（２４０ａ−１）が生成される。
【００３２】
インターリーブ部（２４５ａ）では、第８のデータ信号（２４０ａ−１）に対して、基地局装置（１００ａ）が備えるインターリーブ部（１２０ａ）で適用されたインターリーブと同一のインターリーブが適用され、第９のデータ信号（２４５ａ−１）が生成される。
【００３３】
干渉レプリカ生成部（２５０ａ）でははじめに、第９のデータ信号（２４５ａ−１）と、基地局装置（１００ａ）が備える変調部（１３０ａ）で適用された変調方式と、に基づいて、変調シンボルのレプリカが生成される。次に、変調シンボルのレプリカと参照信号とに基づいて、ＯＦＤＭシンボルのレプリカが生成される。このＯＦＤＭシンボルのレプリカに対して、チャネル推定部（２５５ａ）にて推定されたチャネル特性である第１２のデータ信号（２５５ａ−１）に基づいて、第２のデータ信号（２１０ａ−１）のレプリカである第１０のデータ信号（２５０ａ−１）が生成される。
【００３４】
チャネル推定部（２５５ａ）では、参照信号などに基づいて、チャネル特性が推定される。
【先行技術文献】
【非特許文献】
【００３５】
【非特許文献１】“Ｉｍｐａｃｔ  ｏｆ  Ｂｉａｓｉｎｇ  Ｃｅｌｌ  Ｓｅｌｅｃｔｉｏｎ  ｏｎ  Ｒｅｌａｙ  Ｓｙｓｔｅｍ  ＤＬ  Ｐｅｒｆｏｒｍａｎｃｅ”、Ｒ１−０９４６８８，ＲＡＮ１＃５９
【非特許文献２】“ＤＳ−ＣＤＭＡ信号伝送における周波数領域適応ＩＣＩキャンセラ”、ＲＣＳ２００５−７８
【発明の概要】
【発明が解決しようとする課題】
【００３６】
上記非特許文献１では、移動局装置が、基地局装置から送信される送信信号の受信電力と、中継局装置から送信される送信信号の受信電力とを比較し、基地局装置から送信される送信信号の受信電力が中継局装置から送信される送信信号の受信電力より高い場合、基地局装置と通信をおこなうものとし、基地局装置から送信される送信信号の受信電力が中継局装置から送信される送信信号の受信電力より低い場合、中継局装置と通信をおこなうものとされている。
また、トラフィック量が増えるにしたがって、スループットが劣化してしまうことが記載されている。
【００３７】
非特許文献１では、基地局装置におけるトラフィック量と中継局装置におけるトラフィック量とを調整するために、基地局装置におけるトラフィック量が中継局装置におけるトラフィック量より多い場合、基地局装置から送信される送信信号の送信電力を下げることと中継局装置から送信される送信信号の送信電力を上げることとの内のいずれか又は両方を適用することによって、基地局装置と通信する移動局装置の数を減少し、中継局装置と通信する移動局装置の数を増加させ、基地局装置におけるトラフィック量が中継局装置におけるトラフィック量より少ない場合、基地局装置から送信される送信信号の送信電力を上げることと中継局装置から送信される送信信号の送信電力を下げることとの内のいずれか又は両方を適用することによって、基地局装置と通信する移動局装置の数を増加し、中継局装置と通信する移動局装置の数を減少させる提案がなされている。
【００３８】
上記非特許文献２では、移動局装置の一例について開示されている。
非特許文献２では、基地局装置から送信される送信信号と中継局装置から送信される送信信号とが伝播路上で合成された合成信号を受信し、基地局装置から送信される送信信号と中継局装置から送信される送信信号とを分離し、基地局装置から送信される送信信号と中継局装置から送信される送信信号の両方を用いた復調をおこなうことによって、復調精度を高くする提案がなされている。
【００３９】
したがって、非特許文献２に記載の移動局装置は、基地局装置から送信された送信信号の受信電力と中継局装置から送信された送信信号の受信電力との両方が高い場合を最適とする。
【００４０】
これまで、Ｈｅｔｅｒｏｇｅｎｅｏｕｓ  Ｎｅｔｗｏｒｋにおいては、移動局装置としては、基地局装置から送信される送信信号と中継局装置から送信される送信信号とがガードインターバル内の遅延量で収まることを前提とした移動局装置のみが検討されてきた。
【００４１】
しかし、Ｈｅｔｅｒｏｇｅｎｅｏｕｓ  Ｎｅｔｗｏｒｋにおいて。基地局装置から送信される送信信号の受信電力と中継局装置から送信される送信信号の受信電力との両方が高い場合を最適とする移動局装置と、基地局装置から送信される送信信号の受信電力が中継局装置から送信される送信信号の受信電力より十分低い場合と基地局装置から送信される送信信号の受信電力が中継局装置から送信される送信信号の受信電力より十分高い場合とを最適とする移動局装置とが混在する場合、問題となる。
【００４２】
本発明では、上述より、基地局装置から送信される送信信号の受信電力と中継局装置から送信される送信信号の受信電力との両方が高いことを最適とする移動局装置と、基地局装置から送信される送信信号の受信電力が中継局装置から送信される送信信号の受信電力より十分低い場合と、基地局装置から送信される送信信号の受信電力が中継局装置から送信される送信信号の受信電力より十分高い場合とを最適とする移動局装置と、が混在するＨｅｔｅｒｏｇｅｎｅｏｕｓ  Ｎｅｔｗｏｒｋにおけるセルスループットの改善を課題とする。
【課題を解決するための手段】
【００４３】
上記課題は本発明の以下の手段によって解決することが可能である。
（１）本発明の一態様によるＨｅｔｅｒｏｇｅｎｅｏｕｓ  Ｎｅｔｗｏｒｋは、基地局装置から送信される送信信号の受信信号が中継局装置から送信される送信信号の受信信号の干渉信号とならない程度に、基地局装置から送信される送信信号の受信電力が中継局装置から送信される送信信号の受信電力より低い場合と、中継局装置から送信される送信信号の受信信号が基地局装置から送信される送信信号の受信信号の干渉信号とならない程度に、中継局装置から送信される送信信号の受信電力が基地局装置から送信される送信信号の受信電力より低い場合を最適とする第１種移動局装置と、基地局装置から送信される送信信号の受信電力と中継局装置から送信される送信信号の受信電力とが高い場合を最適とする第２種移動局装置と、が含まれる移動局装置と、基地局装置と、前記基地局装置と前記移動局装置との間の伝播路上にあって、前記基地局装置から送信される送信信号を中継する中継局装置と、が混在することを特徴とする。
【００４４】
（２）本発明の一態様によるＨｅｔｅｒｏｇｅｎｅｏｕｓ  Ｎｅｔｗｏｒｋにおける前記基地局装置又は前記中継局装置から送信される送信信号は、前記基地局装置から送信されるリソースブロックであって、前記中継局装置で中継され、中継後の前記リソースブロックの電力が中継前の前記リソースブロックの電力より低いリソースブロック又は、前記基地局装置から送信されるリソースブロックであって、前記中継局装置で中継されない前記リソースブロックを第１種リソースブロックとし、前記基地局装置から送信されるリソースブロックであって、前記中継局装置で中継され、中継後の前記リソースブロックの電力が中継前の前記リソースブロックの電力より高い前記リソースブロックを第２種リソースブロックとし、前記第１種リソースブロックと前記第２種リソースブロックとが配置される第１種無線フレームであることを特徴とする。
【００４５】
（３）本発明の一態様によるＨｅｔｅｒｏｇｅｎｅｏｕｓ  Ｎｅｔｗｏｒｋにおける第１種無線フレームに対する前記第１種リソースブロックと前記第２種リソースブロックとの配置パターンには、前記第１種リソースブロックのみが配置される周波数帯域を第１種リソースブロック帯域とし、前記第１種リソースブロック帯域であって、周波数帯域幅が１つの前記第１種リソースブロック分である周波数帯域を第１種周波数帯域とし、前記第２種リソースブロックのみが配置される周波数帯域を第２種リソースブロック帯域とし、前記第２種リソースブロック帯域であって、周波数帯域幅が１つの前記第２種リソースブロック分である周波数帯域を第２種周波数帯域とし、前記第１種周波数帯域と前記第２種周波数帯域とが周波数軸方向に交互に配置される第１種配置パターンと、前記第１種周波数帯域が一周波数帯域に集中して配置され、前記第２種周波数帯域が別の一周波数帯域に集中して配置される第２種配置パターンと、の２種類の配置パターンがあることを特徴とする。
【００４６】
（４）本発明の一態様によるＨｅｔｅｒｏｇｅｎｅｏｕｓ  Ｎｅｔｗｏｒｋにおける前記基地局装置は、前記第１種無線フレームを送信し、前記中継局装置は、前記第１種無線フレームを中継し、前記移動局装置は、前記基地局装置から送信された前記第１種無線フレームと前記中継局装置で中継された前記第１種中継フレームとが伝播路上で合成された第１種合成フレームと、を受信することを特徴とする。
【００４７】
（５）本発明の一態様によるＨｅｔｅｒｏｇｅｎｅｏｕｓ  Ｎｅｔｗｏｒｋにおける前記中継局装置は、前記第１種リソースブロックに配置される全ての情報信号の電力を一様に低くするか０とし、前記第２種リソースブロックに配置される全ての情報信号の電力を一様に高くすることし、前記第１種無線フレームを所定時間遅延することを特徴とする。
【００４８】
（６）本発明の一態様によるＨｅｔｅｒｏｇｅｎｅｏｕｓ  Ｎｅｔｗｏｒｋにおける前記中継局装置は、前記第１種リソースブロックの電力を一様に低くし、前記第２種リソースブロックの電力を一様に高くし、前記第１種無線フレームを所定時間遅延することを特徴としても良い。
【００４９】
（７)本発明の一態様によるＨｅｔｅｒｏｇｅｎｅｏｕｓ  Ｎｅｔｗｏｒｋにおける前記第１種移動局装置は、前記第１種合成フレームとは無関係に、前記中継局装置から送信される送信信号の送信電力を確定する一要因となる第１種要求信号を、前記中継局装置から送信される送信信号の送信電力を高くすることを示すものであるとして報知することを特徴とする。
【００５０】
（８)本発明の一態様によるＨｅｔｅｒｏｇｅｎｅｏｕｓ  Ｎｅｔｗｏｒｋにおける前記第２種移動局装置は、前記第１種合成フレームとは無関係に、前記中継局装置から送信される送信信号の送信電力を確定する一要因となる第２種要求信号を、前記中継局装置から送信される送信信号の送信電力を低くすることを示すものであるとして報知することを特徴とする。
【００５１】
（９)本発明の一態様によるＨｅｔｅｒｏｇｅｎｅｏｕｓ  Ｎｅｔｗｏｒｋにおける前記第２種移動局装置は、前記第１種合成フレームから前記基地局装置から送信される前記第１種無線フレームと前記中継局装置から送信される前記第１種無線フレームとを分離し、前記第２種要求信号を、前記基地局装置から送信される前記第１種無線フレームの受信電力が前記中継局装置から送信される前記第１種無線フレームの受信電力より高い場合、前記中継局装置から送信される送信信号の送信電力を低くすることを示すものであるとし、前記基地局装置から送信される前記第１種無線フレームの受信電力が前記中継局装置から送信される前記第１種無線フレームの受信電力より低い場合、前記中継局装置から送信される送信信号の送信電力を高くすることを示すものであるとし、報知することを特徴としても良い。
【００５２】
（１０)本発明の一態様によるＨｅｔｅｒｏｇｅｎｅｏｕｓ  Ｎｅｔｗｏｒｋにおける前記基地局装置又は前記中継局装置から送信される送信信号は、前記基地局装置から送信されるリソースブロックであって、前記中継局装置で中継され、中継後の前記リソースブロックの電力が中継前の前記リソースブロックの電力より低いリソースブロック又は、前記基地局装置から送信されるリソースブロックであって、前記中継局装置で中継されない前記リソースブロックを第１種リソースブロックとし、前記基地局装置から送信されるリソースブロックであって、前記中継局装置で中継され、中継後の前記リソースブロックの電力が中継前の前記リソースブロックの電力より高い前記リソースブロックを第２種リソースブロックとし、前記第１種リソースブロックが配置され、前記第２種リソースブロックが配置されない第２種無線フレームと、前記第２種リソースブロックが配置され、前記第１種リソースブロックが配置されない第３種無線フレームと、の２種類の無線フレームがあることを特徴としても良い。
【００５３】
（１１)本発明の一態様によるＨｅｔｅｒｏｇｅｎｅｏｕｓ  Ｎｅｔｗｏｒｋにおける前記基地局装置は、前記第２種無線フレームと前記第３種無線フレームとを送信し、前記中継局装置は、前記第２種無線フレームと前記第３種無線フレームとを中継するか前記第３種無線フレームのみを中継し、前記移動局装置は、前記基地局装置から送信された前記第２種無線フレームと前記中継局装置で中継された前記第２種中継フレームとが伝播路上で合成された第２種合成フレームと、前記基地局装置から送信された前記第３種無線フレームと前記中継局装置で中継された前記第３種中継フレームとが伝播路上で合成された第３種合成フレームと、の内のいずれか又は複数を受信することを特徴としても良い。
【００５４】
（１２）本発明の一態様によるＨｅｔｅｒｏｇｅｎｅｏｕｓ  Ｎｅｔｗｏｒｋにおける前記中継局装置は、前記第２種無線フレームを中継する場合、前記第１種リソースブロックの電力を一様に低くするか０とし、前記第２種リソースブロックの電力を一様に高くし、前記第２種無線フレームを中継する場合、前記第２種無線フレームを所定時間遅延し、前記第３種無線フレームを所定時間遅延することを特徴としても良い。
【００５５】
（１３) 本発明の一態様によるＨｅｔｅｒｏｇｅｎｅｏｕｓ  Ｎｅｔｗｏｒｋにおける前記第１種移動局装置は、前記第２種無線フレームと前記第３種無線フレームとは無関係に、前記中継局装置から送信される送信信号の送信電力を確定する一要因となる第１種要求信号を、前記中継局装置から送信される送信信号の送信電力を高くすることを示すものであるとして報知することを特徴としても良い。
【００５６】
（１４)本発明の一態様によるＨｅｔｅｒｏｇｅｎｅｏｕｓ  Ｎｅｔｗｏｒｋにおける前記第２種移動局装置は、前記第２種無線フレームと前記第３種無線フレームとは無関係に、前記中継局装置から送信される送信信号の送信電力を確定する一要因となる第２種要求信号を、前記中継局装置から送信される送信信号の送信電力を低くすることを示すものであるとして報知することを特徴としても良い。
【００５７】
（１５)本発明の一態様によるＨｅｔｅｒｏｇｅｎｅｏｕｓ  Ｎｅｔｗｏｒｋにおける前記第２種移動局装置は、前記第２種要求信号を、前記第２種合成フレームの受信電力が所定の閾値より高い場合、前記中継局装置から送信される送信信号の送信電力を低くすることを示すものであるとし、前記第３種合成フレームの受信電力が所定の閾値より低い場合、前記中継局装置から送信される送信信号の送信電力を高くすることを示すものであるとし、報知することを特徴としても良い。
【００５８】
（１６)本発明の一態様によるＨｅｔｅｒｏｇｅｎｅｏｕｓ  Ｎｅｔｗｏｒｋにおける前記第２種移動局装置は、前記第３種合成フレームから前記基地局装置から送信される前記第３種無線フレームと前記中継局装置から送信される前記第３種無線フレームとを分離し、前記第２種要求信号を、前記基地局装置から送信される前記第３種無線フレームの受信電力が前記中継局装置から送信される前記第３種無線フレームの受信電力より高い場合、前記中継局装置から送信される送信信号の送信電力を低くすることを示すものであるとし、前記基地局装置から送信される前記第３種無線フレームの受信電力が前記中継局装置から送信される前記第３種無線フレームの受信電力より低い場合、前記中継局装置から送信される送信信号の送信電力を高くすることを示すものであるとし、報知することを特徴としても良い。
【００５９】
（１７)本発明の一態様によるＨｅｔｅｒｏｇｅｎｅｏｕｓ  Ｎｅｔｗｏｒｋにおける前記基地局装置は、前記移動局装置から報知される第１種要求信号を受信し、前記第１種要求信号が前記中継局装置から送信される送信信号の送信電力を高くすることを示すものである場合、前記基地局装置と前記第１種移動局装置との通信の用に第１種リソースブロックを供し、前記第１種要求信号が前記中継局装置から送信される送信信号の送信電力を低くすることを示すものである場合、前記基地局装置と前記第１種移動局装置との通信の用に第２種リソースブロックを供し、前記移動局装置から報知される第２種要求信号を受信し、前記第２種要求信号が前記中継局装置から送信される送信信号の送信電力を高くすることを示すものである場合、前記基地局装置と前記第２種移動局装置との通信の用に第１種リソースブロックを供し、前記第２種要求信号が前記中継局装置から送信される送信信号の送信電力を低くすることを示すものである場合、前記基地局装置と前記第２種移動局装置との通信の用に第２種リソースブロックを供することを特徴としても良い。
【００６０】
（１８）本発明の一態様によるＨｅｔｅｒｏｇｅｎｅｏｕｓ  Ｎｅｔｗｏｒｋは、基地局装置から送信される送信信号の直接波と直接波より遅延した遅延波とを受信した場合に復調精度が劣化しない第１種移動局装置と、基地局装置から送信される送信信号の直接波と直接波より遅延した遅延波とを受信した場合に復調精度が劣化する第２種移動局装置と、が含まれる移動局装置と、基地局装置と、が混在することを特徴としても良い。
【００６１】
（１９)本発明の一態様によるＨｅｔｅｒｏｇｅｎｅｏｕｓ  Ｎｅｔｗｏｒｋにおける前記基地局装置から送信される送信信号は、前記第１種移動局装置と前記第２種移動局装置との通信の用に供されるリソースブロックが配置される、無線フレームとすることを特徴としても良い。
【００６２】
（２０)本発明の一態様によるＨｅｔｅｒｏｇｅｎｅｏｕｓ  Ｎｅｔｗｏｒｋにおける前記基地局装置は、前記無線フレームを送信し、前記移動局装置は、前記基地局装置から送信された前記フレームの直接波と遅延した遅延波とが伝播路上で合成された合成フレームを受信することを特徴としても良い。
【発明の効果】
【００６３】
本発明では、基地局装置と中継局装置と第１種移動局装置と第２種移動局装置とが混在するＨｅｔｅｒｏｇｅｎｅｏｕｓ  Ｎｅｔｗｏｒｋにおいて、第１種移動局装置に対する中継局装置から送信される送信信号の送信電力を、中継局装置から送信された送信信号の受信電力が基地局装置から送信された送信信号の受信電力より十分高くなるように調整するか、中継局装置から送信された送信信号の受信電力が基地局装置から送信された送信信号の受信電力より十分低くなるように調整し、第２種移動局装置に対する中継局装置から送信される送信信号の送信電力が、高くなるように調整することができる。
【図面の簡単な説明】
【００６４】
【図１】非特許文献２で用いている基地局装置を示す図である。
【図２】非特許文献２で用いている移動局装置を示す図である。
【図３】本発明の第１の実施形態によるＨｅｔｅｒｏｇｅｎｅｏｕｓ  Ｎｅｔｗｏｒｋの構成例と、第２種、第３種無線フレームの構成例を示す図である。
【図４】本発明の第２の実施形態によるＨｅｔｅｒｏｇｅｎｅｏｕｓ  Ｎｅｔｗｏｒｋの構成例と、第２種、第３種無線フレームの構成例を示す図である。
【図５】本発明の第３の実施形態によるＨｅｔｅｒｏｇｅｎｅｏｕｓ  Ｎｅｔｗｏｒｋの構成例と、第２種、第３種無線フレームの構成例を示す図である。
【図６】本発明の第４の実施形態によるＨｅｔｅｒｏｇｅｎｅｏｕｓ  Ｎｅｔｗｏｒｋの構成例と、第１種無線フレームの構成例を示す図である。
【図７】本発明の第５の実施形態によるＨｅｔｅｒｏｇｅｎｅｏｕｓ  Ｎｅｔｗｏｒｋの構成例と、第１種無線フレームの構成例を示す図である。
【図８】本発明の一実施の形態による第１種無線フレームの一例を示す図である。
【図９】本発明の一実施の形態による第１種無線フレームの一例を示す図である。
【図１０】本発明の第１０の実施形態によるＨｅｔｅｒｏｇｅｎｅｏｕｓ  Ｎｅｔｗｏｒｋの構成例と、第１種無線フレームの構成例を示す図である。
【図１１】本発明の第１１の実施形態によるＨｅｔｅｒｏｇｅｎｅｏｕｓ  Ｎｅｔｗｏｒｋの構成例と、第１種無線フレームの構成例を示す図である。
【発明を実施するための形態】
【００６５】
以下、図面を参照しながら本発明の実施形態について説明する。また、図１は、基地局装置（１００ａ）の一構成例を示す図であり、図２は、移動局装置（２００ａ）の一構成例を示す図であり、これらを適宜参照するものとしている。
【００６６】
（第１の実施形態）
図３は、本実施の形態におけるＨｅｔｅｒｏｇｅｎｅｏｕｓ  Ｎｅｔｗｏｒｋの一構成例を示す図である。
【００６７】
図３（ａ）によれば、Ｈｅｔｅｒｏｇｅｎｅｏｕｓ  Ｎｅｔｗｏｒｋ（３００ａ）には、基地局装置（３１０ａ）と、基地局装置（３１０ａ）から送信される送信信号（３１０ａ−１）を中継する中継局装置（３２０ａ）と、基地局装置（３１０ａ）から送信される送信信号（３１０ａ−１）の受信信号が中継局装置（３２０ａ）から送信される送信信号（３２０ａ−１）の受信信号の干渉信号とならない程度に、基地局装置（３１０ａ）から送信される送信信号（３１０ａ−１）の受信電力が中継局装置（３２０ａ）から送信される送信信号（３２０ａ−１）の受信電力より低い場合と、中継局装置（３２０ａ）から送信される送信信号（３２０ａ−１）の受信信号が基地局装置（３１０ａ）から送信される送信信号（３１０ａ−１）の受信信号の干渉信号とならない程度に、中継局装置（３２０ａ）から送信される送信信号（３２０ａ−１）の受信電力が基地局装置（３１０ａ）から送信される送信信号（３１０ａ−１）の受信電力より低い場合を最適とする第１種移動局装置（３３０ａ）と、基地局装置（３１０ａ）から送信された送信信号（３１０ａ−１）の受信電力と中継局装置（３２０ａ）から送信された送信信号（３２０ａ−１）の受信電力との両方が高い場合を最適とする第２種移動局装置（３４０ａ）と、が混在している。
【００６８】
はじめに、基地局装置（３１０ａ）から中継局装置（３２０ａ）と第１種移動局装置（３３０ａ）と第２種移動局装置（３４０ａ）とに対して送信信号（３１０ａ−１）が送信される。
【００６９】
基地局装置（３１０ａ）から送信される送信信号（３１０ａ−１）には第２種無線フレームと第３種無線フレームとの２種類が存在する。
【００７０】
図３（ｂ）によれば、第２種無線フレームに対しては第１種リソースブロックが配置され、第２種リソースブロックは配置されない。また、図３（ｃ）によれば、第３種無線フレームに対しては第２種リソースブロックが配置され、第１種リソースブロックは配置されない。
【００７１】
第１種リソースブロックは基地局装置（３１０ａ）から送信され、中継局装置（３２０ａ）で受信される。ここで、中継局装置（３２０ａ）で受信された第１種リソースブロックの電力を第１受信電力とし、中継局装置（３２０ａ）から送信された第１種リソースブロックの電力を第１送信電力とした場合、第１送信電力の大きさは、第１受信電力の大きさより低い又は０（中継局装置（３２０ａ）で中継されないことと同一の意味）とする。
【００７２】
第２種リソースブロックは基地局装置（３１０ａ）から出力され、中継局装置（３２０ａ）で受信される。ここで、中継局装置（３２０ａ）で受信された第２種リソースブロックの電力を第２受信電力とし、中継局装置（３２０ａ）から送信された第２種リソースブロックの電力を第２送信電力とした場合、第２送信電力の大きさは、第２受信電力の大きさより高いとする。
【００７３】
中継局装置（３２０ａ）は、基地局装置（３１０ａ）から送信された第２種無線フレームを受信し、第２種無線フレームの電力を一様に低くし、所定時間遅延させ、送信するか、あるいは基地局装置（３１０ａ）から送信された第２種無線フレームについては受信しない。さらに、中継局装置（３２０ａ）は、基地局装置（３１０ａ）から送信された第３種無線フレームを受信し、第３種無線フレームの電力を一様に高くし、所定時間遅延させ、送信する。すなわち、中継局装置（３２０ａ）は、第２種無線フレームと第３種無線フレームとを中継するか又は第３種無線フレームのみ中継する（３２０ａ−１）。
基地局装置（３１０ａ）から送信された第２種無線フレームと、中継局装置（３２０ａ）から送信された第２種無線フレームとは、伝播路上で合成され、同様に基地局装置（３１０ａ）から送信された第３種無線フレームと、中継局装置（３２０ａ）から送信された第３種無線フレームとは、伝播路上で合成される。
【００７４】
第１種移動局装置（３３０ａ）は、第２種無線フレームの受信電力と第３種無線フレームの受信電力とは無関係に、基地局装置（３１０ａ）に対して、第３種無線フレームを用いて通信することを優先したいという内容の要求信号（３３０ａ−１）を送信する。
【００７５】
第２種移動局装置（３４０ａ）は、第２種無線フレームの受信電力と第３種無線フレームの受信電力とは無関係に、基地局装置（３１０ａ）に対して、第２種無線フレームを用いて通信することを優先したいという内容の要求信号（３４０ａ−１）を送信する。
【００７６】
基地局装置（３１０ａ）は、第１種移動局装置（３３０ａ）から送信された要求信号（３３０ａ−１）を受信し、要求信号（３３０ａ−１）の内容が第２種無線フレームを用いて通信することを優先したいという場合、基地局装置（３１０ａ）は第１種移動局装置（３３０ａ）に対して、第２種無線フレームに第１種リソースブロックを配置する空きが存在する場合、第２種無線フレームを用いて通信するという内容の応答信号を送信し、第２種無線フレームに第１種リソースブロックを配置する空きが存在しない場合、第２種無線フレームを用いて通信できないという内容の応答信号を報知し、要求信号（３３０ａ−１）の内容が第３種無線フレームを用いて通信することを優先したいと言う場合、基地局装置（３１０ａ）は第１種移動局装置（３３０ａ）に対して、第３種無線フレームに第２種リソースブロックを配置する空きが存在する場合、第３種無線フレームを用いて通信するという内容の応答信号を報知し、第３種無線フレームに第２種リソースブロックを配置する空きが存在しない場合、第３種無線フレームを用いて通信できないという内容の応答信号を報知する。
【００７７】
また、第２種移動局装置（３４０ａ）から送信された要求信号（３４０ａ−１）を受信し、要求信号（３４０ａ−１）の内容が第２種無線フレームを用いて通信することを優先したいという場合、基地局装置（３１０ａ）は第２種移動局装置（３４０ａ）に対して、第２種無線フレームに第１種リソースブロックを配置する空きが存在する場合、第２種無線フレームを用いて通信するという内容の応答信号を報知し、第２種無線フレームに第１種リソースブロックを配置する空きが存在しない場合、第２種無線フレームを用いて通信できないという内容の応答信号を報知し、要求信号（３４０ａ−１）の内容が第３種無線フレームを用いて通信することを優先したいと言う場合、基地局装置（３１０ａ）は第２種移動局装置（３４０ａ）に対して、第３種無線フレームに第２種リソースブロックを配置する空きが存在する場合、第３種無線フレームを用いて通信するという内容の応答信号を報知し、第３種無線フレームに第２種リソースブロックを配置する空きが存在しない場合、第３種無線フレームを用いて通信できないという内容の応答信号を報知する。
【００７８】
以上のように、本実施の形態を適用することによって、第１種移動局装置（３３０ａ）の復調精度と第２種移動局装置（３４０ａ）の復調精度とを共に高くすることができるため、スループットのさらなる改善が可能となる。
【００７９】
また、第１種移動局装置（３３０ａ）から送信される要求信号（３３０ａ−１）は、常に第３種無線フレームを用いて通信することを優先したいという内容であるため、第１種移動局装置（３３０ａ）が要求信号（３３０ａ−１）を送信することと、基地局装置（３１０ａ）が第１種移動局装置（３３０ａ）から送信された要求信号（３３０ａ−１）を受信することとの両方を省くことが可能であり、さらに第２種移動局装置（３４０ａ）から送信される要求信号（３４０ａ−１）も常に第２種無線フレームを用いて通信することを優先したいという内容であるため、第２種移動局装置（３４０ａ）から送信される要求信号（３４０ａ−１）を送信することと、基地局装置（３１０ａ）が第２種移動局装置（３４０ａ）から送信される要求信号（３４０ａ−１）を受信することとの両方を省くことが可能であるという利点がある。
【００８０】
（第２の実施形態）
図４（ａ）によれば、Ｈｅｔｅｒｏｇｅｎｅｏｕｓ  Ｎｅｔｗｏｒｋ（３００ｂ）には、基地局装置（３１０ｂ）と、基地局装置（３１０ｂ）から送信される送信信号（３１０ｂ−１）を中継する中継局装置（３２０ｂ）と、基地局装置（３１０ｂ）から送信される送信信号（３１０ｂ−１）の受信信号が中継局装置（３２０ｂ）から送信される送信信号（３２０ｂ−１）の受信信号の干渉信号とならない程度に、基地局装置（３１０ｂ）から送信される送信信号（３１０ｂ−１）の受信電力が中継局装置（３２０ｂ）から送信される送信信号（３２０ｂ−１）の受信電力より低い場合と、中継局装置（３２０ｂ）から送信される送信信号（３２０ｂ−１）の受信信号が基地局装置（３１０ｂ）から送信される送信信号（３１０ｂ−１）の受信信号の干渉信号とならない程度に、中継局装置（３２０ｂ）から送信される送信信号（３２０ｂ−１）の受信電力が基地局装置（３１０ｂ）から送信される送信信号（３１０ｂ−１）の受信電力より低い場合を最適とする第１種移動局装置（３３０ｂ）と、基地局装置（３１０ｂ）から送信された送信信号（３１０ｂ−１）の受信電力と中継局装置（３２０ｂ）から送信された送信信号（３２０ｂ−１）の受信電力との両方が高い場合を最適とする第２種移動局装置（３４０ｂ）と、が混在している。
【００８１】
はじめに、基地局装置（３１０ｂ）から中継局装置（３２０ｂ）と第１種移動局装置（３３０ｂ）と第２種移動局装置（３４０ｂ）とに対して送信信号（３１０ｂ−１）が送信される。
【００８２】
基地局装置（３１０ｂ）から送信される送信信号（３１０ｂ−１）には第２種無線フレームと第３種無線フレームとの２種類が存在する。
【００８３】
図４（ｂ）によれば、第２種無線フレームに対しては第１種リソースブロックが配置され、第２種リソースブロックは配置されない。また、図４（ｃ）によれば、第３種無線フレームに対しては第２種リソースブロックが配置され、第１種リソースブロックは配置されない。
【００８４】
第１種リソースブロックは基地局装置（３１０ｂ）から送信され、中継局装置（３２０ｂ）で受信される。ここで、中継局装置（３２０ｂ）で受信された第１種リソースブロックの電力を第１受信電力とし、中継局装置（３２０ｂ）から送信された第１種リソースブロックの電力を第１送信電力とした場合、第１送信電力の大きさは、第１受信電力の大きさより低い又は０（中継局装置（３２０ｂ）で中継されないことと同一の意味）とする。
【００８５】
第２種リソースブロックは基地局装置（３１０ｂ）から出力され、中継局装置（３２０ｂ）で受信される。ここで、中継局装置（３２０ｂ）で受信された第２種リソースブロックの電力を第２受信電力とし、中継局装置（３２０ｂ）から送信された第２種リソースブロックの電力を第２送信電力とした場合、第２送信電力の大きさは、第２受信電力の大きさより高いとする。
【００８６】
中継局装置（３２０ｂ）は、基地局装置（３１０ｂ）から送信された第２種無線フレームを受信し、第２種無線フレームの電力を一様に低くし、所定時間遅延させ、送信するか、あるいは基地局装置（３１０ｂ）から送信された第２種無線フレームについては受信しない。さらに、中継局装置（３２０ｂ）は、基地局装置（３１０ｂ）から送信された第３種無線フレームを受信し、第３種無線フレームの電力を一様に高くし、所定時間遅延させ、送信する。すなわち、中継局装置（３２０ｂ）は、第２種無線フレームと第３種無線フレームとを中継するか又は第３種無線フレームのみ中継する（３２０ｂ−１）。
【００８７】
基地局装置（３１０ｂ）から送信された第２種無線フレームと、中継局装置（３２０ｂ）から送信された第２種無線フレームとは、伝播路上で合成され、同様に基地局装置（３１０ｂ）から送信された第３種無線フレームと、中継局装置（３２０ｂ）から送信された第３種無線フレームとは、伝播路上で合成される。
【００８８】
第１種移動局装置（３３０ｂ）は、第２種無線フレームの受信電力と第３種無線フレームの受信電力とは無関係に、基地局装置（３１０ｂ）に対して、第３種無線フレームを用いて通信することを優先したいという内容の要求信号（３３０ｂ−１）を送信する。
第２種移動局装置（３４０ｂ）は、第２種無線フレームを受信する。
【００８９】
次に、第２種無線フレームの受信電力と第３種無線フレームの受信電力とを推定する。
次に、第２種無線フレームの受信電力が所定の閾値より高い又は等しい場合、基地局装置（３１０ｂ）に対して、第２種無線フレームを用いて通信することを優先したいという内容の要求信号（３４０ｂ−１）を送信し、この事例以外においては、第２種移動局装置（３４０ｂ）は基地局装置（３１０ｂ）に対して、第３種無線フレームを用いて通信することを優先したいという内容の要求信号（３４０ｂ−１）を送信する。
【００９０】
基地局装置（３１０ｂ）は、第１種移動局装置（３３０ｂ）から送信された要求信号（３３０ｂ−１）を受信し、要求信号（３３０ｂ−１）の内容が第２種無線フレームを用いて通信することを優先したいという場合、基地局装置（３１０ｂ）は第１種移動局装置（３３０ｂ）に対して、第２種無線フレームに第１種リソースブロックを配置する空きが存在する場合、第２種無線フレームを用いて通信するという内容の応答信号を送信し、第２種無線フレームに第１種リソースブロックを配置する空きが存在しない場合、第２種無線フレームを用いて通信できないという内容の応答信号を報知し、要求信号（３３０ｂ−１）の内容が第３種無線フレームを用いて通信することを優先したいと言う場合、基地局装置（３１０ｂ）は第１種移動局装置（３３０ｂ）に対して、第３種無線フレームに第２種リソースブロックを配置する空きが存在する場合、第３種無線フレームを用いて通信するという内容の応答信号を報知し、第３種無線フレームに第２種リソースブロックを配置する空きが存在しない場合、第３種無線フレームを用いて通信できないという内容の応答信号を報知する。
【００９１】
また、第２種移動局装置（３４０ｂ）から送信された要求信号（３４０ｂ−１）を受信し、要求信号（３４０ｂ−１）の内容が第２種無線フレームを用いて通信することを優先したいという場合、基地局装置（３１０ｂ）は第２種移動局装置（３４０ｂ）に対して、第２種無線フレームに第１種リソースブロックを配置する空きが存在する場合、第２種無線フレームを用いて通信するという内容の応答信号を報知し、第２種無線フレームに第１種リソースブロックを配置する空きが存在しない場合、第２種無線フレームを用いて通信できないという内容の応答信号を報知し、要求信号（３４０ｂ−１）の内容が第３種無線フレームを用いて通信することを優先したいと言う場合、基地局装置（３１０ｂ）は第２種移動局装置（３４０ｂ）に対して、第３種無線フレームに第２種リソースブロックを配置する空きが存在する場合、第３種無線フレームを用いて通信するという内容の応答信号を報知し、第３種無線フレームに第２種リソースブロックを配置する空きが存在しない場合、第３種無線フレームを用いて通信できないという内容の応答信号を報知する。
【００９２】
以上のように、本実施の形態を適用することによって、第２種移動局装置（３４０ｂ）は基地局装置（３１０ｂ）に対して、受信電力の高い方の無線フレームを用いて通信することが可能であるため、第１の実施形態と比較し、スループットが改善される。
【００９３】
また、第１種移動局装置（３３０ｂ）から送信される要求信号（３３０ｂ−１）は、常に第３種無線フレームを用いて通信することを優先したいという内容であるため、第１種移動局装置（３３０ｂ）が要求信号（３３０ｂ−１）を送信することと、基地局装置（３１０ｂ）が第１種移動局装置（３３０ｂ）から送信された要求信号（３３０ｂ−１）を受信することとの両方を省くことが可能である。
【００９４】
（第３の実施形態）
図５（ａ）によれば、Ｈｅｔｅｒｏｇｅｎｅｏｕｓ  Ｎｅｔｗｏｒｋ（３００ｃ）には、基地局装置（３１０ｃ）と、基地局装置（３１０ｃ）から送信される送信信号（３１０ｃ−１）を中継する中継局装置（３２０ｃ）と、基地局装置（３１０ｃ）から送信される送信信号（３１０ｃ−１）の受信信号が中継局装置（３２０ｃ）から送信される送信信号（３２０ｃ−１）の受信信号の干渉信号とならない程度に、基地局装置（３１０ｃ）から送信される送信信号（３１０ｃ−１）の受信電力が中継局装置（３２０ｃ）から送信される送信信号（３２０ｃ−１）の受信電力より低い場合と、中継局装置（３２０ｃ）から送信される送信信号（３２０ｃ−１）の受信信号が基地局装置（３１０ｃ）から送信される送信信号（３１０ｃ−１）の受信信号の干渉信号とならない程度に、中継局装置（３２０ｃ）から送信される送信信号（３２０ｃ−１）の受信電力が基地局装置（３１０ｃ）から送信される送信信号（３１０ｃ−１）の受信電力より低い場合を最適とする第１種移動局装置（３３０ｃ）と、基地局装置（３１０ｃ）から送信された送信信号（３１０ｃ−１）の受信電力と中継局装置（３２０ｃ）から送信された送信信号（３２０ｃ−１）の受信電力との両方が高い場合を最適とする第２種移動局装置（３４０ｃ）と、が混在している。
【００９５】
はじめに、基地局装置（３１０ｃ）から中継局装置（３２０ｃ）と第１種移動局装置（３３０ｃ）と第２種移動局装置（３４０ｃ）とに対して送信信号（３１０ｃ−１）が送信される。
【００９６】
基地局装置（３１０ｃ）から送信される送信信号（３１０ｃ−１）には第２種無線フレームと第３種無線フレームとの２種類が存在する。
【００９７】
図５（ｂ）によれば、第２種無線フレームに対しては第１種リソースブロックが配置され、第２種リソースブロックは配置されない。また、図５（ｃ）によれば、第３種無線フレームに対しては第２種リソースブロックが配置され、第１種リソースブロックは配置されない。
【００９８】
第１種リソースブロックは基地局装置（３１０ｃ）から送信され、中継局装置（３２０ｃ）で受信される。ここで、中継局装置（３２０ｃ）で受信された第１種リソースブロックの電力を第１受信電力とし、中継局装置（３２０ｃ）から送信された第１種リソースブロックの電力を第１送信電力とした場合、第１送信電力の大きさは、第１受信電力の大きさより低い又は０（中継局装置（３２０ｃ）で中継されないことと同一の意味）とする。
【００９９】
第２種リソースブロックは基地局装置（３１０ｃ）から出力され、中継局装置（３２０ｃ）で受信される。ここで、中継局装置（３２０ｃ）で受信された第２種リソースブロックの電力を第２受信電力とし、中継局装置（３２０ｃ）から送信された第２種リソースブロックの電力を第２送信電力とした場合、第２送信電力の大きさは、第２受信電力の大きさより高いとする。
【０１００】
中継局装置（３２０ｃ）は、基地局装置（３１０ｃ）から送信された第２種無線フレームを受信し、第２種無線フレームの電力を一様に低くし、所定時間遅延させ、送信するか、あるいは基地局装置（３１０ｃ）から送信された第２種無線フレームについては受信しない。さらに、中継局装置（３２０ｃ）は、基地局装置（３１０ｃ）から送信された第３種無線フレームを受信し、第３種無線フレームの電力を一様に高くし、所定時間遅延させ、送信する。すなわち、中継局装置（３２０ｃ）は、第２種無線フレームと第３種無線フレームとを中継するか又は第３種無線フレームのみ中継する（３２０ｃ−１）。
基地局装置（３１０ｃ）から送信された第２種無線フレームと、中継局装置（３２０ｃ）から送信された第２種無線フレームとは、伝播路上で合成され、同様に基地局装置（３１０ｃ）から送信された第３種無線フレームと、中継局装置（３２０ｃ）から送信された第３種無線フレームとは、伝播路上で合成される。
【０１０１】
第１種移動局装置（３３０ｃ）は、第２種無線フレームの受信電力と第３種無線フレームの受信電力とは無関係に、基地局装置（３１０ｃ）に対して、第３種無線フレームを用いて通信することを優先したいという内容の要求信号（３３０ｃ−１）を送信する。
第２種移動局装置（３４０ｃ）は、第３種無線フレームを受信する。
【０１０２】
次に、受信された第３種無線フレームに含まれる、基地局装置（３１０ｃ）から送信された第３種無線フレームと中継局装置（３２０ｃ）から送信された第３種無線フレームとを分離する。
【０１０３】
さらに基地局装置（３１０ｃ）から送信された第３種無線フレームの受信電力と、中継局装置（３２０ｃ）から送信された第３種無線フレームの受信電力と、を推定する。
【０１０４】
次に、基地局装置（３１０ｃ）から送信された第３種無線フレームの受信電力が中継局装置（３２０ｃ）から送信された第３種無線フレームの受信電力より十分低い場合、第２種移動局装置（３４０ｃ）は基地局装置（３１０ｃ）に対して、第３種無線フレームを用いて通信することを優先したいという内容の要求信号（３４０ｃ−１）を送信し、この事例以外においては、第２種移動局装置（３４０ｃ）は基地局装置（３１０ｃ）に対して、第２種無線フレームを用いて通信することを優先したいという内容の要求信号（３４０ｃ−１）を送信する。
【０１０５】
基地局装置（３１０ｃ）は、第１種移動局装置（３３０ｃ）から送信された要求信号（３３０ｃ−１）を受信し、要求信号（３３０ｃ−１）の内容が第２種無線フレームを用いて通信することを優先したいという場合、基地局装置（３１０ｃ）は第１種移動局装置（３３０ｃ）に対して、第２種無線フレームに第１種リソースブロックを配置する空きが存在する場合、第２種無線フレームを用いて通信するという内容の応答信号を送信し、第２種無線フレームに第１種リソースブロックを配置する空きが存在しない場合、第２種無線フレームを用いて通信できないという内容の応答信号を報知し、要求信号（３３０ｃ−１）の内容が第３種無線フレームを用いて通信することを優先したいと言う場合、基地局装置（３１０ｃ）は第１種移動局装置（３３０ｃ）に対して、第３種無線フレームに第２種リソースブロックを配置する空きが存在する場合、第３種無線フレームを用いて通信するという内容の応答信号を報知し、第３種無線フレームに第２種リソースブロックを配置する空きが存在しない場合、第３種無線フレームを用いて通信できないという内容の応答信号を報知する。
【０１０６】
また、第２種移動局装置（３４０ｃ）から送信された要求信号（３４０ｃ−１）を受信し、要求信号（３４０ｃ−１）の内容が第２種無線フレームを用いて通信することを優先したいという場合、基地局装置（３１０ｃ）は第２種移動局装置（３４０ｃ）に対して、第２種無線フレームに第１種リソースブロックを配置する空きが存在する場合、第２種無線フレームを用いて通信するという内容の応答信号を報知し、第２種無線フレームに第１種リソースブロックを配置する空きが存在しない場合、第２種無線フレームを用いて通信できないという内容の応答信号を報知し、要求信号（３４０ｃ−１）の内容が第３種無線フレームを用いて通信することを優先したいと言う場合、基地局装置（３１０ｃ）は第２種移動局装置（３４０ｃ）に対して、第３種無線フレームに第２種リソースブロックを配置する空きが存在する場合、第３種無線フレームを用いて通信するという内容の応答信号を報知し、第３種無線フレームに第２種リソースブロックを配置する空きが存在しない場合、第３種無線フレームを用いて通信できないという内容の応答信号を報知する。
【０１０７】
以上のように、本実施の形態を適用することによって、第２種移動通信装置（３４０ｃ）は、基地局装置（３１０ｃ）付近に存在する場合、第２種無線フレームを用いて通信することが可能となり、基地局装置（３１０ｃ）から十分離れた位置に存在する場合、第３種無線フレームを用いて通信することが可能となるため、第１の実施形態と第２の実施形態のネットワークと比較し、スループットが改善される。
【０１０８】
また、第１種移動局装置（３３０ｃ）から送信される要求信号（３３０ｃ−１）は、常に第３種無線フレームを用いて通信することを優先したいという旨であるため、第１種移動局装置（３３０ｃ）が要求信号（３３０ｃ−１）を送信することと、基地局装置（３１０ｃ）が第１種移動局装置（３３０ｃ）から送信された要求信号（３３０ｃ−１）を受信することとの両方を省くことが可能である。
【０１０９】
（第４の実施形態）
図６（ａ）によれば、Ｈｅｔｅｒｏｇｅｎｅｏｕｓ  Ｎｅｔｗｏｒｋ（４００ａ）には、基地局装置（４１０ａ）と、基地局装置（４１０ａ）から送信される送信信号（４１０ａ−１）を中継する中継局装置（４２０ａ）と、基地局装置（４１０ａ）から送信される送信信号（４１０ａ−１）の受信信号が中継局装置（４２０ａ）から送信される送信信号（４２０ａ−１）の受信信号の干渉信号とならない程度に、基地局装置（４１０ａ）から送信される送信信号（４１０ａ−１）の受信電力が中継局装置（４２０ａ）から送信される送信信号（４２０ａ−１）の受信電力より低い場合と、中継局装置（４２０ａ）から送信される送信信号（４２０ａ−１）の受信信号が基地局装置（４１０ａ）から送信される送信信号（４１０ａ−１）の受信信号の干渉信号とならない程度に、中継局装置（４２０ａ）から送信される送信信号（４２０ａ−１）の受信電力が基地局装置（４１０ａ）から送信される送信信号（４１０ａ−１）の受信電力より低い場合を最適とする第１種移動局装置（４３０ａ）と、基地局装置（４１０ａ）から送信された送信信号（４１０ａ−１）の受信電力と中継局装置（４２０ａ）から送信された送信信号（４２０ａ−１）の受信電力との両方が高い場合を最適とする第２種移動局装置（４４０ａ）と、が混在している。
【０１１０】
はじめに、基地局装置（４１０ａ）から中継局装置（４２０ａ）と第１種移動局装置（４３０ａ）と第２種移動局装置（４４０ａ）とに対して送信信号（４１０ａ−１）が送信される。
【０１１１】
はじめに、基地局装置（４１０ａ）から中継局装置（４２０ａ）と第１種移動局装置（４３０ａ）と第２種移動局装置（４４０ａ）とに対して送信信号（４１０ａ−１）が送信される。
【０１１２】
基地局装置（４１０ａ）から送信される送信信号（４１０ａ−１）には第１種無線フレームのみ存在する。
【０１１３】
図６（ｂ）によれば、第１種無線フレームに対しては第１種リソースブロックと第２種リソースブロックとの両方が配置される。
【０１１４】
第１種リソースブロックは基地局装置（４１０ａ）から送信され、中継局装置（４２０ａ）で受信される。ここで、中継局装置（４２０ａ）で受信された第１種リソースブロックの電力を第１受信電力とし、中継局装置（４２０ａ）から送信された第１種リソースブロックの電力を第１送信電力とした場合、第１送信電力の大きさは、第１受信電力の大きさより低い又は０（中継局装置（４２０ａ）で中継されないことと同一の意味）とする。
【０１１５】
第２種リソースブロックは基地局装置（４１０ａ）から出力され、中継局装置（４２０ａ）で受信される。ここで、中継局装置（４２０ａ）で受信された第２種リソースブロックの電力を第２受信電力とし、中継局装置（４２０ａ）から送信された第２種リソースブロックの電力を第２送信電力とした場合、第２送信電力の大きさは、第２受信電力の大きさより高いとする。
【０１１６】
中継局装置（４２０ａ）は、基地局装置（４１０ａ）から送信された第１種無線フレームを受信し、第１種リソースブロックに配置される情報信号の電力を一様に低くするか又は０とし、第２種リソースブロックに配置される情報信号の電力を一様に高くし、所定時間遅延させ、送信する（４２０ａ−１）。
【０１１７】
基地局装置（４１０ａ）から送信された第１種無線フレームと、中継局装置（４２０ａ）から送信された第１種無線フレームとは、伝播路上で合成される。
【０１１８】
第１種移動局装置（４３０ａ）は、基地局装置（４１０ａ）に対して、第１種無線フレームに配置される第２種リソースブロックを用いて通信することを優先したいという内容の要求信号（４３０ａ−１）を送信する。
【０１１９】
第２種移動局装置（４４０ａ）は、基地局装置（４１０ａ）に対して、第１種無線フレームに配置される第２種リソースブロックを用いて通信することを優先したいという内容の要求信号（４４０ａ−１）を送信する。
【０１２０】
基地局装置（４１０ａ）は、第１種移動局装置（４３０ａ）から送信された要求信号（４３０ａ−１）を受信し、要求信号（４３０ａ−１）の内容が第１種リソースブロックを用いて通信することを優先したいという場合、基地局装置（４１０ａ）は第１種移動局装置（４３０ａ）に対して、第１種無線フレームに第１種リソースブロックを配置する空きが存在する場合、第１種リソースブロックを用いて通信するという内容の応答信号を送信し、第１種無線フレームに第１種リソースブロックを配置する空きが存在しない場合、第１種リソースブロックを用いて通信できないという内容の応答信号を報知し、要求信号（４３０ａ−１）の内容が第２種リソースブロックを用いて通信することを優先したいという場合、基地局装置（４１０ａ）は第１種移動局装置（４３０ａ）に対して、第１種無線フレームに第２種リソースブロックを配置する空きが存在する場合、第２種リソースブロックを用いて通信するという内容の応答信号を送信し、第１種無線フレームに第２種リソースブロックを配置する空きが存在しない場合、第２種リソースブロックを用いて通信できないという内容の応答信号を報知する。
【０１２１】
また、第２種移動局装置（４４０ａ）から送信された要求信号（４４０ａ−１）を受信し、要求信号（４４０ａ−１）の内容が第１種リソースブロックを用いて通信することを優先したいという場合、基地局装置（４１０ａ）は第２種移動局装置（４４０ａ）に対して、第１種無線フレームに第１種リソースブロックを配置する空きが存在する場合、第１種リソースブロックを用いて通信するという内容の応答信号を報知し、第１種無線フレームに第１種リソースブロックを配置する空きが存在しない場合、第１種リソースブロックを用いて通信できないという内容の応答信号を報知し、要求信号（４４０ａ−１）の内容が第２種リソースブロックを用いて通信することを優先したいという場合、基地局装置（４１０ａ）は第２種移動局装置（４４０ａ）に対して、第１種無線フレームに第２種リソースブロックを配置する空きが存在する場合、第２種リソースブロックを用いて通信するという内容の応答信号を送信し、第１種無線フレームに第２種リソースブロックを配置する空きが存在しない場合、第２種リソースブロックを用いて通信できないという内容の応答信号を報知する。
【０１２２】
以上のように、本実施の形態を適用することによって、第１種移動局装置（４３０ａ）の復調精度と第２種移動局装置（４４０ａ）の復調精度とを共に高くすることができるため、スループットのさらなる改善が可能となる。
【０１２３】
また、第１種無線フレームのみを用いているため、第１の実施形態から第３の実施形態までと比較し、第１種無線フレームの占有周波数帯域と、第２種無線フレームの占有周波数帯域と第３種無線フレームの占有周波数帯域とを合わせた占有周波数帯域と、が等しい場合と、第１種無線フレームの占有周波数帯域と第２種無線フレームの占有周波数帯域と第３種無線フレームの占有周波数帯域とが等しく、かつ第１種移動局装置（４３０ａ）の数と第２種移動局装置（４４０ａ）の数とが少ない場合とでは、周波数の利用効率が改善される。
【０１２４】
また、第１種移動局装置（４３０ａ）から送信される要求信号（４３０ａ−１）は、常に第２種リソースブロックを用いて通信することを優先したいという内容であるため、第１種移動局装置（４３０ａ）が要求信号（４３０ａ−１）を送信することと、基地局装置（４１０ａ）が第１種移動局装置（４３０ａ）から送信された要求信号（４３０ａ−１）を受信することとの両方を省くことが可能であり、さらに第２種移動局装置（４４０ａ）から送信される要求信号（４４０ａ−１）も常に第１種リソースブロックを用いて通信することを優先したいという内容であるため、第２種移動局装置（４４０ａ）から送信される要求信号（４４０ａ−１）を送信することと、基地局装置（４１０ａ）が第２種移動局装置（４４０ａ）から送信される要求信号（４４０ａ−１）を受信することとの両方を省くことが可能である。
【０１２５】
（第５の実施形態）
図７（ａ）によれば、Ｈｅｔｅｒｏｇｅｎｅｏｕｓ  Ｎｅｔｗｏｒｋ（４００ｂ）には、基地局装置（４１０ｂ）と、基地局装置（４１０ｂ）から送信される送信信号（４１０ｂ−１）を中継する中継局装置（４２０ｂ）と、基地局装置（４１０ｂ）から送信される送信信号（４１０ｂ−１）の受信信号が中継局装置（４２０ｂ）から送信される送信信号（４２０ｂ−１）の受信信号の干渉信号とならない程度に、基地局装置（４１０ｂ）から送信される送信信号（４１０ｂ−１）の受信電力が中継局装置（４２０ｂ）から送信される送信信号（４２０ｂ−１）の受信電力より低い場合と、中継局装置（４２０ｂ）から送信される送信信号（４２０ｂ−１）の受信信号が基地局装置（４１０ｂ）から送信される送信信号（４１０ｂ−１）の受信信号の干渉信号とならない程度に、中継局装置（４２０ｂ）から送信される送信信号（４２０ｂ−１）の受信電力が基地局装置（４１０ｂ）から送信される送信信号（４１０ｂ−１）の受信電力より低い場合を最適とする第１種移動局装置（４３０ｂ）と、基地局装置（４１０ｂ）から送信された送信信号（４１０ｂ−１）の受信電力と中継局装置（４２０ｂ）から送信された送信信号（４２０ｂ−１）の受信電力との両方が高い場合を最適とする第２種移動局装置（４４０ｂ）と、が混在している。
【０１２６】
はじめに、基地局装置（４１０ｂ）から中継局装置（４２０ｂ）と第１種移動局装置（４３０ｂ）と第２種移動局装置（４４０ｂ）とに対して送信信号（４１０ｂ−１）が送信される。
【０１２７】
基地局装置（４１０ｂ）から送信される送信信号（４１０ｂ−１）には第１種無線フレームのみ存在する。
【０１２８】
図７（ｂ）によれば、第１種無線フレームに対しては第１種リソースブロックと第２種リソースブロックとの両方が配置される。
【０１２９】
第１種リソースブロックは基地局装置（４１０ｂ）から送信され、中継局装置（４２０ｂ）で受信される。ここで、中継局装置（４２０ｂ）で受信された第１種リソースブロックの電力を第１受信電力とし、中継局装置（４２０ｂ）から送信された第１種リソースブロックの電力を第１送信電力とした場合、第１送信電力の大きさは、第１受信電力の大きさより低い又は０（中継局装置（４２０ｂ）で中継されないことと同一の意味）とする。
【０１３０】
第２種リソースブロックは基地局装置（４１０ｂ）から出力され、中継局装置（４２０ｂ）で受信される。ここで、中継局装置（４２０ｂ）で受信された第２種リソースブロックの電力を第２受信電力とし、中継局装置（４２０ｂ）から送信された第２種リソースブロックの電力を第２送信電力とした場合、第２送信電力の大きさは、第２受信電力の大きさより高いとする。
【０１３１】
中継局装置（４２０ｂ）は、基地局装置（４１０ｂ）から送信された第１種無線フレームを受信し、第１種リソースブロックに配置される情報信号の電力を一様に低くするか又は０とし、第２種リソースブロックに配置される情報信号の電力を一様に高くし、所定時間遅延させ、送信する（４２０ｂ−１）。
【０１３２】
基地局装置（４１０ｂ）から送信された第１種無線フレームと、中継局装置（４２０ｂ）から送信された第１種無線フレームとは、伝播路上で合成される。
【０１３３】
第１種移動局装置（４３０ｂ）は、基地局装置（４１０ｂ）に対して、第１種無線フレームに配置される第２種リソースブロックを用いて通信することを優先したいという内容の要求信号（４３０ｂ−１）を送信する。
第２種移動局装置（４４０ｂ）は、第１種無線フレームを受信する。
【０１３４】
次に、受信された第１種無線フレームに含まれる、基地局装置（４１０ｂ）から送信された第１種リソースブロックと基地局装置（４１０ｂ）から送信された第２種リソースブロックと、中継局装置（４２０ｂ）から送信された第１種リソースブロックと第２種リソースブロックとを分離する。
【０１３５】
さらに基地局装置（４１０ｂ）から送信された第２種リソースブロックの受信電力と中継局装置（４２０ｂ）から送信された第２種リソースブロックの受信電力とを推定する。
【０１３６】
次に、基地局装置（４１０ｂ）から送信された第２種リソースブロックの受信電力が中継局装置（４２０ｂ）から送信された第２種リソースブロックの受信電力より十分低い場合、第２種移動局装置（４４０ｂ）は基地局装置（４１０ｂ）に対して、第２種リソースブロックを用いて通信することを優先したいという内容の要求信号（４４０ｂ−１）を送信し、この事例以外においては、第２種移動局装置（４４０ｂ）は基地局装置（４１０ｂ）に対して、第１種リソースブロックを用いて通信することを優先したいという内容の要求信号（４４０ｂ−１）を送信する。
【０１３７】
基地局装置（４１０ｂ）は、第１種移動局装置（４３０ｂ）から送信された要求信号（４３０ｂ−１）を受信し、要求信号（４３０ｂ−１）の内容が第１種リソースブロックを用いて通信することを優先したいという場合、基地局装置（４１０ｂ）は第１種移動局装置（４３０ｂ）に対して、第１種無線フレームに第１種リソースブロックを配置する空きが存在する場合、第１種リソースブロックを用いて通信するという内容の応答信号を送信し、第１種無線フレームに第１種リソースブロックを配置する空きが存在しない場合、第１種リソースブロックを用いて通信できないという内容の応答信号を報知し、要求信号（４３０ｂ−１）の内容が第２種リソースブロックを用いて通信することを優先したいという場合、基地局装置（４１０ｂ）は第１種移動局装置（４３０ｂ）に対して、第１種無線フレームに第２種リソースブロックを配置する空きが存在する場合、第２種リソースブロックを用いて通信するという内容の応答信号を送信し、第１種無線フレームに第２種リソースブロックを配置する空きが存在しない場合、第２種リソースブロックを用いて通信できないという内容の応答信号を報知する。
【０１３８】
また、第２種移動局装置（４４０ｂ）から送信された要求信号（４４０ｂ−１）を受信し、要求信号（４４０ｂ−１）の内容が第１種リソースブロックを用いて通信することを優先したいという場合、基地局装置（４１０ｂ）は第２種移動局装置（４４０ｂ）に対して、第１種無線フレームに第１種リソースブロックを配置する空きが存在する場合、第１種リソースブロックを用いて通信するという内容の応答信号を報知し、第１種無線フレームに第１種リソースブロックを配置する空きが存在しない場合、第１種リソースブロックを用いて通信できないという内容の応答信号を報知すし、要求信号（４４０ｂ−１）の内容が第２種リソースブロックを用いて通信することを優先したいという場合、基地局装置（４１０ｂ）は第２種移動局装置（４４０ｂ）に対して、第１種無線フレームに第２種リソースブロックを配置する空きが存在する場合、第２種リソースブロックを用いて通信するという内容の応答信号を送信し、第１種無線フレームに第２種リソースブロックを配置する空きが存在しない場合、第２種リソースブロックを用いて通信できないという内容の応答信号を報知する。
【０１３９】
以上のように、本実施の形態を適用することによって、第２種移動通信装置（４４０ｂ）は基地局装置（４１０ｂ）付近に存在する場合、第１種リソースブロックを用いて通信することが可能となり、基地局装置（４１０ｂ）から十分離れた位置に存在する場合、第２種リソースブロックを用いて通信することが可能となるため、第４の実施形態と第５の実施形態と比較し、スループットが改善される。
【０１４０】
また、第１種移動局装置（４３０ｂ）から送信される要求信号（４３０ｂ−１）は、常に第２種リソースブロックを用いて通信することを優先したいという内容であるため、第１種移動局装置（４３０ｂ）が要求信号（４３０ｂ―１）を送信することと、基地局装置（４１０ｂ）が第１種移動局装置（４３０ｂ）から送信された要求信号（４３０ｂ−１）を受信することとの両方を省くことが可能である。
【０１４１】
（第６の実施形態）
第４の実施形態で説明されている中継局装置（４２０ａ）は、基地局装置（４１０ａ）から送信された第１種無線フレームを受信し、第１種リソースブロックの電力を一様に低くするか又は０とし、第２種リソースブロックの電力を一様に高くし、所定時間遅延させ、送信する（４２０ａ−１）。
【０１４２】
以上のように、本実施の形態を適用することによって、第４の実施形態に示されているとおり、中継局装置において、情報信号のみの電力を調整するための情報信号と他の信号とを区別する処理が不要となるため、中継局装置における処理を簡素化することが可能である。
【０１４３】
（第７の実施形態）
第５の実施形態で説明されている中継局装置（４２０ｂ）は、基地局装置（４１０ｂ）から送信された第１種無線フレームを受信し、第１種リソースブロックの電力を一様に低くするか又は０とし、第２種リソースブロックの電力を一様に高くし、所定時間遅延させ、送信する（４２０ｂ−１）。
【０１４４】
以上のように、本実施の形態を適用することによって、第５の実施形態に示されているとおり、中継局装置において、情報信号のみの電力を調整するための情報信号と他の信号とを区別する処理が不要となるため、中継局装置における処理を簡素化することが可能である。
【０１４５】
（第８の実施形態）
本実施の形態では、第４の実施形態又は第５の実施形態における第１種無線フレームについて説明する。
【０１４６】
図８に、本実施形態における第１種無線フレームの構造を示した。
図８によれば、第１種リソースブロック一つ分の占有周波数帯域幅の周波数帯域で、この周波数帯域に対しては第１種リソースブロックのみが配置される第１種周波数帯域（５１０ａ）と、第２種リソースブロック一つ分の占有周波数帯域幅の周波数帯域で、この周波数帯域に対しては第２種リソースブロックのみが配置される第２種周波数帯域（５２０ａ）との二種類の周波数帯域が存在する。
【０１４７】
また、第１種無線フレームに対する第１種周波数帯域（５１０ａ）の配置と第２種周波数帯域（５２０ａ）の配置とは、第１種無線フレームに対して第１種周波数帯域（５１０ａ）を一つ配置し、配置された第１種周波数帯域（５１０ａ）に漸近して第２種周波数帯域（５２０ａ）を配置し、配置された第２種周波数帯域（５２０ａ）に漸近して第１種周波数帯域（５１０ａ）を配置するというように、第１種周波数帯域（５１０ａ）と第２種周波数帯域（５２０ａ）とが周波数方向に交互に現れるものとする。
【０１４８】
以上のように、本実施の形態を適用することによって、第１種リソースブロックに対する制御信号を復調するための参照信号の配置パターンと、第２種リソースブロックに対する制御信号を復調するための参照信号の配置パターンとが異なる場合でも、第１種リソースブロックと第２種リソースブロックにおける制御信号の復調精度の劣化が抑えられる。
【０１４９】
（第９の実施形態）
本実施の形態では、第４の実施形態又は第５の実施形態における第１種無線フレームについて説明する。
【０１５０】
図９に、本実施形態における第１種無線フレームの構造を示した。
図９によれば、第１種リソースブロック一つ分の占有周波数帯域幅の周波数帯域で、この周波数帯域に対しては第１種リソースブロックのみが配置される第１種周波数帯域（５１０ｂ）と、第２種リソースブロック一つ分の占有周波数帯域幅の周波数帯域で、この周波数帯域に対しては第２種リソースブロックのみが配置される第２種周波数帯域（５２０ｂ）との二種類の周波数帯域が存在する。
【０１５１】
また、第１種無線フレームに対する第１種周波数帯域（５１０ｂ）の配置と第２種周波数帯域（５２０ｂ）の配置とは、第１種無線フレームに対して第１種周波数帯域（５１０ｂ）を一周波数帯域に集中して配置し、第２種周波数帯域（５２０ｂ）を別の一周波数帯域に集中して配置するというように、第１種周波数帯域（５１０ｂ）と第２種周波数帯域（５２０ｂ）とが周波数方向に二分して現れるものとする。
【０１５２】
以上のように、本実施の形態を適用することによって、第１種リソースブロックにおける情報信号を復調するための参照信号の配置パターンと、第２種リソースブロックにおける情報信号を復調するための参照信号の配置パターンとが異なる場合でも、第１種リソースブロックと第２種リソースブロックにおける情報信号の復調精度は第６の実施形態より改善される。
【０１５３】
（第１０の実施形態）
図１０（ａ）によれば、Ｈｅｔｅｒｏｇｅｎｅｏｕｓ  Ｎｅｔｗｏｒｋ（６００ａ）には、基地局装置（６１０ａ）と、基地局装置（６１０ａ）から送信される送信信号（６１０ａ−１）を中継する中継局装置（６２０ａ）と、基地局装置（６１０ａ）から送信される送信信号（６１０ａ−１）の受信信号が中継局装置（６２０ａ）から送信される送信信号（６２０ａ−１）の受信信号の干渉信号とならない程度に、基地局装置（６１０ａ）から送信される送信信号（６１０ａ−１）の受信電力が中継局装置（６２０ａ）から送信される送信信号（６２０ａ−１）の受信電力より低い場合と、中継局装置（６２０ａ）から送信される送信信号（６２０ａ−１）の受信信号が基地局装置（６１０ａ）から送信される送信信号（６１０ａ−１）の受信信号の干渉信号とならない程度に、中継局装置（６２０ａ）から送信される送信信号（６２０ａ−１）の受信電力が基地局装置（６１０ａ）から送信される送信信号（６１０ａ−１）の受信電力より低い場合を最適とする第１種移動局装置（６３０ａ）と、基地局装置（６１０ａ）から送信された送信信号（６１０ａ−１）の受信電力と中継局装置（６２０ａ）から送信された送信信号（６２０ａ−１）の受信電力との両方が高い場合を最適とする第２種移動局装置（６４０ａ）と、が混在している。
【０１５４】
はじめに、基地局装置（６１０ａ）から中継局装置（６２０ａ）と第１種移動局装置（６３０ａ）と第２種移動局装置（６４０ａ）とに対して送信信号（６１０ａ−１）が送信される。
【０１５５】
基地局装置（６１０ａ）から送信される送信信号（６１０ａ−１）には第１種無線フレームのみ存在する。
図１０（ｂ）によれば、第１種無線フレームに対しては第２種リソースブロックのみ配置される。
【０１５６】
第２種リソースブロックは基地局装置（６１０ａ）から出力され、中継局装置（６２０ａ）で受信される。ここで、中継局装置（６２０ａ）で受信された第２種リソースブロックの電力を第２受信電力とし、中継局装置（６２０ａ）から送信された第２種リソースブロックの電力を第２送信電力とした場合、第２送信電力の大きさは、第２受信電力の大きさより高いとする。
【０１５７】
中継局装置（６２０ａ）は基地局装置（６１０ａ）から送信された第１種無線フレームを受信し、第２種リソースブロックの電力を一様に高くし、所定時間遅延させ、送信する（６２０ａ−１）。
【０１５８】
基地局装置（６１０ａ）から送信された第１種無線フレームと、中継局装置（６２０ａ）から送信された第１種無線フレームとは、伝播路上で合成される。
【０１５９】
基地局装置（６１０ａ）は、第１種移動局装置（６３０ａ）に対して、第１種無線フレームに第２種リソースブロックを配置する空きが存在する場合、第２種リソースブロックを用いて通信するという内容の応答信号を送信し、第１種無線フレームに第２種リソースブロックを配置する空きが存在しない場合、第２種リソースブロックを用いて通信できないという内容の応答信号を報知する。
【０１６０】
また、第２種移動局装置（６４０ａ）に対して、第１種無線フレームに第２種リソースブロックを配置する空きが存在する場合、第２種リソースブロックを用いて通信するという内容の応答信号を報知し、第１種無線フレームに第２種リソースブロックを配置する空きが存在しない場合、第２種リソースブロックを用いて通信できないという内容の応答信号を報知する。
【０１６１】
以上のように、本実施の形態を適用することによって、第１実施の形態から第５実施の形態までより基地局装置（６１０ａ）と第１種移動局装置（６３０ａ）および第２種移動局装置（６４０ａ）との通信が簡素化される。また、基地局装置（６１０ａ）と第１種移動局装置（６３０ａ）および第２種移動局装置（６４０ａ）との通信に第２種リソースブロックしか用いないため、基地局装置（６１０ａ）における処理が簡素化される。
【０１６２】
また、第１種無線フレームのみを用いているため、第１実施形態から第３実施形態までと比較し、第１種無線フレームの占有周波数帯域と、第２種無線フレームの占有周波数帯域と第３種無線フレームの占有周波数帯域とを合わせた占有周波数帯域と、が等しい場合と、第１種無線フレームの占有周波数帯域と第２種無線フレームの占有周波数帯域と第３種無線フレームの占有周波数帯域とが等しい場合で、第１種移動局装置（６３０ａ）の数と第２種移動局装置（６４０ａ）の数とが少ない場合とで、周波数の利用効率が改善される。
【０１６３】
（第１１の実施形態）
図１１（ａ）によれば、Ｈｅｔｅｒｏｇｅｎｅｏｕｓ  Ｎｅｔｗｏｒｋ（６００ｂ）には、基地局装置（６１０ｂ）と、基地局装置（６１０ｂ）から送信される送信信号（６１０ｂ−１）の受信信号が、マルチパスなどを起因とする送信信号（６１０ｂ−１）に対する遅延信号（６２０ｂ−１）の受信信号の干渉信号とならない程度に、送信信号（６１０ｂ−１）の受信電力が遅延信号（６２０ｂ−１）の受信電力より低い場合と、遅延信号（６２０ｂ−１）の受信信号が送信信号（６１０ｂ−１）の受信信号の干渉信号とならない程度に、遅延信号（６２０ｂ−１）の受信電力が送信信号（６１０ｂ−１）の受信電力より低い場合を最適とする第１種移動局装置（６３０ｂ）と、送信信号（６１０ｂ−１）の受信電力と遅延信号（６２０ｂ−１）の受信電力との両方が高い場合を最適とする第２種移動局装置（６４０ｂ）と、が混在している。
【０１６４】
はじめに、基地局装置（６１０ｂ）から第１種移動局装置（６３０ｂ）と第２種移動局装置（６４０ｂ）とに対して送信信号（６１０ｂ−１）が送信される。
【０１６５】
基地局装置（６１０ｂ）から送信される送信信号（６１０ｂ−１）には第１種無線フレームのみ存在する。
図１１（ｂ）によれば、第１種無線フレームに対しては第２種リソースブロックのみ配置される。
【０１６６】
基地局装置（６１０ｂ）は、第１種移動局装置（６３０ｂ）に対して、第１種無線フレームに第２種リソースブロックを配置する空きが存在する場合、第２種リソースブロックを用いて通信するという内容の応答信号を送信し、第１種無線フレームに第２種リソースブロックを配置する空きが存在しない場合、第２種リソースブロックを用いて通信できないという内容の応答信号を報知する。
【０１６７】
また、第２種移動局装置（６４０ｂ）に対して、第１種無線フレームに第２種リソースブロックを配置する空きが存在する場合、第２種リソースブロックを用いて通信するという内容の応答信号を報知し、第１種無線フレームに第２種リソースブロックを配置する空きが存在しない場合、第２種リソースブロックを用いて通信できないという内容の応答信号を報知する。
【０１６８】
以上のように、本実施の形態を適用することによって、第１０の実施形態で示されるＨｅｔｅｒｏｇｅｎｅｏｕｓ  Ｎｅｔｗｏｒｋから中継局装置が省かれた状態であっても通信をおこなうことが可能である。
【０１６９】
また、第１種無線フレームのみを用いているため、第１実施形態から第３実施形態までと比較し、第１種無線フレームの占有周波数帯域と、第２種無線フレームの占有周波数帯域と第３種無線フレームの占有周波数帯域とを合わせた占有周波数帯域と、が等しい場合と、第１種無線フレームの占有周波数帯域と第２種無線フレームの占有周波数帯域と第３種無線フレームの占有周波数帯域とが等しい場合で、第１種移動局装置（６３０ｂ）の数と第２種移動局装置（６４０ｂ）の数とが少ない場合とで、周波数の利用効率が改善される。
【０１７０】
（まとめ）
本提案における上述の実施形態では、スループットの改善とトラフィックの分散を目的としたＨｅｔｅｒｏｇｅｎｅｏｕｓ  Ｎｅｔｗｏｒｋの一構成例を示した。
【０１７１】
本提案では、Ｈｅｔｅｒｏｇｅｎｅｏｕｓ  Ｎｅｔｗｏｒｋの一構成例として、基地局装置から送信される送信信号の受信信号が中継局装置から送信される送信信号の受信信号の干渉信号とならない程度に、基地局装置から送信される送信信号の受信電力が中継局装置から送信される送信信号の受信電力より低い場合と、中継局装置から送信される送信信号の受信信号が基地局装置から送信される送信信号の受信信号の干渉信号とならない程度に、中継局装置から送信される送信信号の受信電力が基地局装置から送信される送信信号の受信電力より低い場合を最適とする第１種移動局装置と、基地局装置から送信される送信信号の受信電力と中継局装置から送信される送信信号の受信電力とが高い場合を最適とする第２種移動局装置と、が含まれる移動局装置と、基地局装置と、前記基地局装置と前記移動局装置との間の伝播路上にあって、前記基地局装置から送信される送信信号を中継する中継局装置と、が混在するものを提案した。
【０１７２】
さらに、Ｈｅｔｅｒｏｇｅｎｅｏｕｓ  Ｎｅｔｗｏｒｋの一構成例として、基地局装置から送信される送信信号の直接波と直接波より遅延した遅延波とを受信した場合に復調精度が劣化しない第１種移動局装置と、基地局装置から送信される送信信号の直接波と直接波より遅延した遅延波とを受信した場合に復調精度が劣化する第２種移動局装置と、が含まれる移動局装置と、基地局装置と、が混在するものを提案した。
【０１７３】
また、上述の実施形態において、添付図面に図示されている構成等については、これらに限定されるものではなく、本発明の効果を発揮する範囲内で適宜変更することが可能である。その他、本発明の目的の範囲を逸脱しない限りにおいて適宜変更して実施することが可能である。
【０１７４】
また、上述の実施形態で説明した機能を実現するためのプログラムをコンピュータ読み取り可能な記録媒体に記録して、この記録媒体に記録されたプログラムをコンピュータシステムに読み込ませ、実行することにより各部の処理を行ってもよい。尚、ここでいう「コンピュータシステム」とは、ＯＳや周辺機器等のハードウェアを含むものとする。
【０１７５】
また、「コンピュータシステム」は、ＷＷＷシステムを利用している場合であれば、ホームページ提供環境（あるいは表示環境）も含むものとする。
【０１７６】
また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。さらに「コンピュータ読み取り可能な記録媒体」とは、インターネット等のネットワークや電話回線等の通信回線を介してプログラムを送信する場合の通信線のように、短時間の間、動的にプログラムを保持するもの、その場合のサーバやクライアントとなるコンピュータシステム内部の揮発性メモリのように、一定時間プログラムを保持しているものも含むものとする。また前記プログラムは、前述した機能の一部を実現するためのものであっても良く、さらに前述した機能をコンピュータシステムにすでに記録されているプログラムとの組み合わせで実現できるものであっても良い。
【産業上の利用可能性】
【０１７７】
本発明は、Ｈｅｔｅｒｏｇｅｎｅｏｕｓ  Ｎｅｔｗｏｒｋに利用可能である。
【符号の説明】
【０１７８】
１００ａ…基地局装置、１１０ａ…符号化部、１２０ａ…インターリーブ部、１３０ａ…変調部、１４０ａ…アンテナ、１００ａ−１…第１のデータ信号、１１０ａ−１…第２のデータ信号、１２０ａ−１…第３のデータ信号、１３０ａ−１…第４のデータ信号、２００ａ…移動局装置、２０５ａ…アンテナ、２１０ａ…周波数変換部、２１５ａ…第１の加算部、２２０ａ…信号検出部、２２５ａ…ＭＡＰ検出部、２３０ａ…デインターリーブ部、２３５ａ…復号部、２４０ａ…第２の加算部、２４５ａ…インターリーブ部、２５０ａ…干渉レプリカ生成部、２５５ａ…チャネル推定部、２６０ａ…ディジタル信号処理装置、２０５ａ−１…第１のデータ信号、２１０ａ−１…第２のデータ信号、２１５ａ−１…第３のデータ信号、２２０ａ−１…第４のデータ信号、２２５ａ−１…第５のデータ信号、２３０ａ−１…第６のデータ信号、２３５ａ−１…第７のデータ信号、２４０ａ−１…第８のデータ信号、２４５ａ−１…第９のデータ信号、２５０ａ−１…第１０のデータ信号、２５５ａ−１…第１１のデータ信号、２５５ａ−１…第１２のデータ信号、３００ａ…Ｈｅｔｅｒｏｇｅｎｅｏｕｓ  Ｎｅｔｗｏｒｋの構成、３１０ａ…基地局装置、３２０ａ…中継局装置、３３０ａ…第１種移動局装置、３４０ａ…第２種移動局装置、３１０ａ−１…基地局装置から送信される送信信号、３２０ａ−１…中継局装置から送信される送信信号、３３０ａ−１…第１種移動局装置から送信される送信信号、３４０ａ−１…第２種移動局装置から送信される送信信号、３００ｂ…Ｈｅｔｅｒｏｇｅｎｅｏｕｓ  Ｎｅｔｗｏｒｋの構成、３１０ｂ…基地局装置、３２０ｂ…中継局装置、３３０ｂ…第１種移動局装置、３４０ｂ…第２種移動局装置、３１０ｂ−１…基地局装置から送信される送信信号、３２０ｂ−１…中継局装置から送信される送信信号、３３０ｂ−１…第１種移動局装置から送信される送信信号、３４０ｂ−１…第２種移動局装置から送信される送信信号、３００ｃ…Ｈｅｔｅｒｏｇｅｎｅｏｕｓ  Ｎｅｔｗｏｒｋの構成、３１０ｃ…基地局装置、３２０ｃ…中継局装置、３３０ｃ…第１種移動局装置、３４０ｃ…第２種移動局装置、３１０ｃ−１…基地局装置から送信される送信信号、３２０ｃ−１…中継局装置から送信される送信信号、３３０ｃ−１…第１種移動局装置から送信される送信信号、３４０ｃ−１…第２種移動局装置から送信される送信信号、４００ａ…Ｈｅｔｅｒｏｇｅｎｅｏｕｓ  Ｎｅｔｗｏｒｋの構成、４１０ａ…基地局装置、４２０ａ…中継局装置、４３０ａ…第１種移動局装置、４４０ａ…第２種移動局装置、４１０ａ−１…基地局装置から送信される送信信号、４２０ａ−１…中継局装置から送信される送信信号、４３０ａ−１…第１種移動局装置から送信される送信信号、４４０ａ−１…第２種移動局装置から送信される送信信号、４００ｂ…Ｈｅｔｅｒｏｇｅｎｅｏｕｓ  Ｎｅｔｗｏｒｋの構成、４１０ｂ…基地局装置、４２０ｂ…中継局装置、４３０ｂ…第１種移動局装置、４４０ｂ…第２種移動局装置、４１０ｂ−１…基地局装置から送信される送信信号、４２０ｂ−１…中継局装置から送信される送信信号、４３０ｂ−１…第１種移動局装置から送信される送信信号、４４０ｂ−１…��２種移動局装置から送信される送信信号、５００ａ…第１種無線フレームの構成、５１０ａ…第１種周波数帯域、５２０ａ…第２種周波数帯域、５００ｂ…第１種無線フレームの構成、５１０ｂ…第１種周波数帯域、５２０ｂ…第２種周波数帯域、６００ａ…Ｈｅｔｅｒｏｇｅｎｅｏｕｓ  Ｎｅｔｗｏｒｋの構成、６１０ａ…基地局装置、６２０ａ…中継局装置、６３０ａ…第１種移動局装置、６４０ａ…第２種移動局装置、６１０ａ−１…基地局装置から送信される送信信号、６２０ａ−１…中継局装置から送信される送信信号、６００ｂ…Ｈｅｔｅｒｏｇｅｎｅｏｕｓ  Ｎｅｔｗｏｒｋの構成、６１０ｂ…基地局装置、６３０ｂ…第１種移動局装置、６４０ｂ…第２種移動局装置、６１０ｂ−１…基地局装置から送信される送信信号、６２０ｂ−１…基地局装置から送信される送信信号に対する遅延信号。
【図１】
2011193418.tif 000003
【図２】
2011193418.tif 000004
【図３】
2011193418.tif 000005
【図４】
2011193418.tif 000006
【図５】
2011193418.tif 000007
【図６】
2011193418.tif 000008
【図７】
2011193418.tif 000009
【図８】
2011193418.tif 000010
【図９】
2011193418.tif 000011
【図１０】
2011193418.tif 000012
【図１１】
2011193418.tif 000013